(57)【特許請求の範囲】
【請求項１】
所定の配列パターンで配列された複数個の識別情報を複数列の可変表示部にて可変表示する可変表示装置を備え、この可変表示装置の複数列の可変表示部の表示結果が予め定めた所定の大当り組合せとなったときに特定の遊技価値を付与し得る大当り遊技状態に制御する制御手段を備えた遊技機において、
前記複数列の可変表示部のうち１つの可変表示部を除く他の可変表示部の配列パターンとして前記複数個の識別情報の配列順序を同一にすると共に、前記１つの可変表示部の配列パターンとして前記他の可変表示部の配列パターンと同一の識別情報の配列順序に１個の識別情報を加えた配列順序として設定され、
前記制御手段は、
前記複数列の可変表示部で表示結果を導出する以前に該表示結果を決定する表示結果決定手段と、
該表示結果決定手段によって決定された表示結果が大当り組合せ態様、はずれリーチ組合せ態様、はずれ組合せ態様のいずれであるかを判定する組合せ判定手段と、
前記表示結果決定手段によって決定された表示結果が大当たり組合せ態様またははずれリーチ組合せ態様であって、大当り組合せ態様のうちいずれの組合せ種類であるかまたははずれリーチ組合せ態様のうちいずれの組合せ種類であるかに応じて複数の選択条件の中からいずれの選択条件であるかを判定する選択条件判定手段と、
予め定められた複数種類のリーチ変動のうちいずれのリーチ変動を実行するかを決定するために用いられる乱数値を抽出するリーチ動作用乱数抽出手段と、
前記選択条件判定手段において判定された選択条件及び前記リーチ動作用乱数抽出手段において抽出された乱数値にもとづいていずれのリーチ変動を実行するかを選択するリーチ変動選択手段と、
前記リーチ変動選択手段が選択したリーチ変動にもとづいて識別情報の可変表示を実行するリーチ変動制御手段と、を備え、
前記予め定められた複数種類のリーチ変動は、少なくとも
前記複数列の可変表示部における最終停止可変表示部においてはずれ時における変動とは異なる変動を行い、最終的に停止表示する通常リーチ変動と、
前記複数列の可変表示部のうち少なくとも２列以上の可変表示部において識別情報を前記所定の大当り組合せとなる条件を満たす状態で変動を行い、所定の変動速度から減速して最終的に停止表示する通常同期リーチ変動と、
前記複数列の可変表示部のうち少なくとも２列以上の可変表示部において識別情報を前記所定の大当り組合せとなる条件を満たす状態で変動を行うと共に、最終的に停止表示するまでに、当該変動を一旦停止した後１個分の識別情報の表示範囲未満で再び変動を行う変動態様を複数回繰り返す第１特殊同期リーチ変動と、
前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記他の可変表示部において前記配列順序に従って所定の識別情報が表示された後再び前記所定の識別情報が表示されるまでの期間を１周期としたときに、複数周期にわたってすべての可変表示部において同一の第１変動速度で変動を行う変動態様を含む変動を行う第２特殊同期リーチ変動と、
前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記１周期の期間において前記他の可変表示部では同一の前記第１変動速度で変動し、前記１つの可変表示部では前記第１変動速度と該第１変動速度とは変動速度が異なる補正変動としての第２変動速度との２つの変動速度で構成される特殊変動に基づいて変動し、１周期した時点ですべての可変表示部で再度前記所定の大当り組合せとなる変動態様を複数周期にわたって行う第３特殊同期リーチ変動態様と、を含み、
前記リーチ変動選択手段は、
前記表示結果決定手段によって大当り組合せとすると決定したときに、少なくとも前記通常リーチ変動と前記通常同期リーチ変動と前記第１特殊同期リーチ変動と前記第２特殊同期リーチ変動と前記第３特殊同期リーチ変動とのうちよりいずれかのリーチ変動を実行するリーチ変動として選択可能であり、前記表示結果決定手段によって大当り組合せとしないと決定したときに、前記第１特殊同期リーチ変動を実行するリーチ変動として選択しないとともに、前記選択条件判定手段において、特定の選択条件であると判定された場合には、前記通常リーチ変動のみを選択することを特徴とする遊技機。
【請求項２】
前記予め定められた複数種類のリーチ変動として、前記複数列の可変表示部のうち少なくとも２列以上の可変表示部において識別情報を前記所定の大当り組合せとなる条件を満たす状態で変動を行うと共に、最終的に停止表示するまでに、当該変動を一旦停止した後再び１図柄分の変動を行う変動態様を複数回繰り返す第４特殊同期リーチ変動を含み、
前記表示結果決定手段によって大当り組合せとすると決定したとき、または前記表示結果決定手段によって大当り組合せとしないと決定したときであって前記選択条件判定手段で前記特定の選択条件以外の選択条件であると判定された場合に、前記リーチ変動選択手段によって前記第４特殊同期リーチ変動を実行するリーチ変動として選択可能としたことを特徴とする請求項１記載の遊技機。
【請求項３】
前記予め定められた複数種類のリーチ変動として、前記複数列の可変表示部のうち少なくとも２列以上の可変表示部において識別情報を前記所定の大当り組合せとなる条件を満たす状態で変動を行うと共に、最終的に停止表示するまでに、当該変動中の所定範囲の識別情報の表示時において、所定の変動速度よりも減速した変動態様を行う第５特殊同期リーチ変動を含み、
前記表示結果決定手段によって大当り組合せとすると決定したとき、または前記表示結果決定手段によって大当り組合せとしないと決定したときであって前記選択条件判定手段で前記特定の選択条件以外の選択条件であると判定された場合に、前記リーチ変動選択手段によって前記第５特殊同期リーチ変動を実行するリーチ変動として選択可能としたことを特徴とする請求項１記載の遊技機。
【請求項４】
前記予め定められた複数種類のリーチ変動として、前記複数列の可変表示部のうち少なくとも２列以上の可変表示部において識別情報を前記所定の大当り組合せとなる条件を満たす状態で変動を行うと共に、最終的に停止表示するまでに、当該変動を前記所定の大当り組合せとならない識別情報として可変表示部に一旦停止表示した後再び変動を行う変動態様を行う第６特殊同期リーチ変動を含み、
前記表示結果決定手段によって大当り組合せとすると決定したとき、または前記表示結果決定手段によって大当り組合せとしないと決定したときであって前記選択条件判定手段で前記特定の選択条件以外の選択条件であると判定された場合に、前記リーチ変動選択手段によって前記第６特殊同期リーチ変動を実行するリーチ変動として選択可能としたことを特徴とする請求項１記載の遊技機。
【請求項５】
前記予め定められた複数種類のリーチ変動として、前記複数列の可変表示部のうち少なくとも少なくとも２列以上の可変表示部において識別情報を前記所定の大当り組合せとなる条件を満たす状態で変動を行うと共に、最終的に停止表示するまでに、当該変動における変動速度を、低速変動とすることなく一定変動速度を保つ変動態様を行う第７特殊同期リーチ変動を含み、
前記表示結果決定手段によって大当り組合せとすると決定したとき、または前記表示結果決定手段によって大当り組合せとしないと決定したときであって前記選択条件判定手段で前記特定の選択条件以外の選択条件であると判定された場合に、前記リーチ変動選択手段によって前記第７特殊同期リーチ変動を実行するリーチ変動として選択可能としたことを特徴とする請求項１記載の遊技機。
【発明の詳細な説明】
【０００１】
【産業上の利用分野】
本発明は、識別情報を複数列の可変表示部にて可変表示する可変表示装置を備え、この可変表示装置の複数列の可変表示部の表示結果が予め定めた所定の大当り組合せとなったときに特定の遊技価値を付与し得る大当り遊技状態に制御する制御手段を備えた遊技機に関するものである。
【０００２】
【従来の技術】
従来、一般に、弾球遊技機としてのパチンコ遊技機に設けられる可変表示装置は、複数列の可変表示部で識別情報（図柄）を可変表示するようになっていた。そして、始動入賞口への打玉の入賞に伴って各可変表示部の変動を許容し、各可変表示部に停止表示される図柄の組合せが予め定めた組合せ結果（大当り図柄）となったときに特定遊技状態あるいは権利発生状態等の特定の遊技価値を付与するようになっていた。また、このような可変表示装置では、最終停止図柄の変動が終了する前に大当り図柄となり得るリーチの場合、通常の図柄変動とは異なるリーチ態様の変動を行うことで遊技の興趣を向上していた。なお、リーチ態様の変動には、各図柄列に大当り図柄を揃えた状態でこれを同期的に変動させるものがあった。この変動は、一般的に同期変動リーチという。
【０００３】
【発明が解決しようとする課題】
ところが、上記従来のようなリーチ変動を行う可変表示装置は、残り１図柄のみをリーチ変動する場合では様々な態様にて図柄を変動制御していたが、同期変動リーチのときには、高速から低速に減速回転して最終的に停止させるという画一的な変動態様でしかなかった。本発明は、上記した問題点に鑑みなされたもので、その目的とするところは、変則的な同期変動リーチを行うことでリーチ時の興趣をより一層向上し得る可変表示装置を備えた弾球遊技機を提供することにある。
【０００４】
【課題を解決するための手段】
上記した目的を達成するために、本発明においては、
所定の配列パターンで配列された複数個の識別情報を複数列の可変表示部にて可変表示する可変表示装置を備え、この可変表示装置の複数列の可変表示部の表示結果が予め定めた所定の大当り組合せとなったときに特定の遊技価値を付与し得る大当り遊技状態に制御する制御手段を備えた遊技機において、
前記複数列の可変表示部のうち１つの可変表示部を除く他の可変表示部の配列パターンとして前記複数個の識別情報の配列順序を同一にすると共に、前記１つの可変表示部の配列パターンとして前記他の可変表示部の配列パターンと同一の識別情報の配列順序に１個の識別情報を加えた配列順序として設定され、
前記制御手段は、
前記複数列の可変表示部で表示結果を導出する以前に該表示結果を決定する表示結果決定手段と、
該表示結果決定手段によって決定された表示結果が大当り組合せ態様、はずれリーチ組合せ態様、はずれ組合せ態様のいずれであるかを判定する組合せ判定手段と、
前記表示結果決定手段によって決定された表示結果が大当たり組合せ態様またははずれリーチ組合せ態様であって、大当り組合せ態様のうちいずれの組合せ種類であるかまたははずれリーチ組合せ態様のうちいずれの組合せ種類であるかに応じて複数の選択条件の中からいずれの選択条件であるかを判定する選択条件判定手段と、
予め定められた複数種類のリーチ変動のうちいずれのリーチ変動を実行するかを決定するために用いられる乱数値を抽出するリーチ動作用乱数抽出手段と、
前記選択条件判定手段において判定された選択条件及び前記リーチ動作用乱数抽出手段において抽出された乱数値にもとづいていずれのリーチ変動を実行するかを選択するリーチ変動選択手段と、
前記リーチ変動選択手段が選択したリーチ変動にもとづいて識別情報の可変表示を実行するリーチ変動制御手段と、を備え、
前記予め定められた複数種類のリーチ変動は、少なくとも
前記複数列の可変表示部における最終停止可変表示部においてはずれ時における変動とは異なる変動を行い、最終的に停止表示する通常リーチ変動と、
前記複数列の可変表示部のうち少なくとも２列以上の可変表示部において識別情報を前記所定の大当り組合せとなる条件を満たす状態で変動を行い、所定の変動速度から減速して最終的に停止表示する通常同期リーチ変動と、
前記複数列の可変表示部のうち少なくとも２列以上の可変表示部において識別情報を前記所定の大当り組合せとなる条件を満たす状態で変動を行うと共に、最終的に停止表示するまでに、当該変動を一旦停止した後１個分の識別情報の表示範囲未満で再び変動を行う変動態様を複数回繰り返す第１特殊同期リーチ変動と、
前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記他の可変表示部において前記配列順序に従って所定の識別情報が表示された後再び前記所定の識別情報が表示されるまでの期間を１周期としたときに、複数周期にわたってすべての可変表示部において同一の第１変動速度で変動を行う変動態様を含む変動を行う第２特殊同期リーチ変動と、
前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記１周期の期間において前記他の可変表示部では同一の前記第１変動速度で変動し、前記１つの可変表示部では前記第１変動速度と該第１変動速度とは変動速度が異なる補正変動としての第２変動速度との２つの変動速度で構成される特殊変動に基づいて変動し、１周期した時点ですべての可変表示部で再度前記所定の大当り組合せとなる変動態様を複数周期にわたって行う第３特殊同期リーチ変動態様と、を含み、
前記リーチ変動選択手段は、
前記表示結果決定手段によって大当り組合せとすると決定したときに、少なくとも前記通常リーチ変動と前記通常同期リーチ変動と前記第１特殊同期リーチ変動と前記第２特殊同期リーチ変動と前記第３特殊同期リーチ変動とのうちよりいずれかのリーチ変動を実行するリーチ変動として選択可能であり、前記表示結果決定手段によって大当り組合せとしないと決定したときに、前記第１特殊同期リーチ変動を実行するリーチ変動として選択しないとともに、前記選択条件判定手段において、特定の選択条件であると判定された場合には、前記通常リーチ変動のみを選択することを特徴とするものである。
【０００５】
また、予め定められた複数種類のリーチ変動の中の特殊変動リーチとしては、当該変動を一旦停止した後再び１図柄分の変動を行う変動態様を複数回繰り返す第４特殊同期リーチ変動、当該変動中の所定範囲の識別情報の表示時において所定の変動速度よりも減速した変動態様を行う第５特殊同期リーチ変動、当該変動を所定の大当り組合せとならない識別情報として可変表示部に一旦停止表示した後再び変動を行う変動態様を行う第６特殊同期リーチ変動、当該変動における変動速度を、低速変動とすることなく一定変動速度を保つ変動態様を行う第７特殊同期リーチ変動を含んでいても良い。
【０００６】
【作用】
複数列の可変表示部のうち１つの可変表示部を除く他の可変表示部の配列パターンとして複数個の識別情報の配列順序を同一にすると共に、前記１つの可変表示部の配列パターンとして前記他の可変表示部の配列パターンと同一の識別情報の配列順序に１個の識別情報を加えた配列順序として設定され、制御手段は、前記複数列の可変表示部で表示結果を導出する以前に該表示結果を決定する表示結果決定手段と、該表示結果決定手段によって決定された表示結果が大当り組合せ態様、はずれリーチ組合せ態様、はずれ組合せ態様のいずれであるかを判定する組合せ判定手段と、前記表示結果決定手段によって決定された表示結果が大当たり組合せ態様またははずれリーチ組合せ態様であって、大当り組合せ態様のうちいずれの組合せ種類であるかまたははずれリーチ組合せ態様のうちいずれの組合せ種類であるかに応じて複数の選択条件の中からいずれの選択条件であるかを判定する選択条件判定手段と、予め定められた複数種類のリーチ変動のうちいずれのリーチ変動を実行するかを決定するために用いられる乱数値を抽出するリーチ動作用乱数抽出手段と、前記選択条件判定手段において判定された選択条件及び前記リーチ動作用乱数抽出手段において抽出された乱数値にもとづいていずれのリーチ変動を実行するかを選択するリーチ変動選択手段と、前記リーチ変動選択手段が選択したリーチ変動にもとづいて識別情報の可変表示を実行するリーチ変動制御手段と、を備え、前記予め定められた複数種類のリーチ変動は、少なくとも、前記複数列の可変表示部における最終停止可変表示部においてはずれ時における変動とは異なる変動を行い、最終的に停止表示する通常リーチ変動と、前記複数列の可変表示部のうち少なくとも２列以上の可変表示部において識別情報を前記所定の大当り組合せとなる条件を満たす状態で変動を行い、所定の変動速度から減速して最終的に停止表示する通常同期リーチ変動と、前記複数列の可変表示部のうち少なくとも２列以上の可変表示部において識別情報を前記所定の大当り組合せとなる条件を満たす状態で変動を行うと共に、最終的に停止表示するまでに、当該変動を一旦停止した後１個分の識別情報の表示範囲未満で再び変動を行う変動態様を複数回繰り返す第１特殊同期リーチ変動と、前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記他の可変表示部において前記配列順序に従って所定の識別情報が表示された後再び前記所定の識別情報が表示されるまでの期間を１周期としたときに、複数周期にわたってすべての可変表示部において同一の第１変動速度で変動を行う変動態様を含む変動を行う第２特殊同期リーチ変動と、前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記１周期の期間において前記他の可変表示部では同一の前記第１変動速度で変動し、前記１つの可変表示部では前記第１変動速度と該第１変動速度とは変動速度が異なる補正変動としての第２変動速度との２つの変動速度で構成される特殊変動に基づいて変動し、１周期した時点ですべての可変表示部で再度前記所定の大当り組合せとなる変動態様を複数周期にわたって行う第３特殊同期リーチ変動態様と、を含み、前記リーチ変動選択手段は、前記表示結果決定手段によって大当り組合せとすると決定したときに、少なくとも前記通常リーチ変動と前記通常同期リーチ変動と前記第１特殊同期リーチ変動と前記第２特殊同期リーチ変動と前記第３特殊同期リーチ変動とのうちよりいずれかのリーチ変動を実行するリーチ変動として選択可能であり、前記表示結果決定手段によって大当り組合せとしないと決定したときに、前記第１特殊同期リーチ変動を実行するリーチ変動として選択しないとともに、前記選択条件判定手段において、特定の選択条件であると判定された場合には、前記通常リーチ変動のみを選択するので、同期変動リーチにおいても変則的な変動態様が行え、ひいてはリーチ時の興趣をより一層向上することができる。
【０００７】
【実施例】
以下、図面を参照して本発明の実施例について説明する。先ず、図１を参照して実施例に係る弾球遊技機（図示ではパチンコ遊技機）の遊技盤１の構成について説明する。図１は、遊技盤１を示す正面図である。図１において、遊技盤１の表面には、発射された打玉を誘導するための誘導レール２がほぼ円状に植立され、該誘導レール２で区画された領域が遊技領域３を構成している。遊技領域３のほぼ中央には、後述する各特別図柄表示部４３〜４５での識別情報（以下、特別図柄という）の可変表示（以下、変動ともいう）を可能にする特別可変表示装置４０が配置されている。なお、特別可変表示装置４０の詳細な構成については後に詳述するものである。
【０００８】
特別可変表示装置４０の下方には、特別図柄の変動を許容する始動機能を有する普通可変入賞球装置４が配置されている。この普通可変入賞球装置４は、ソレノイド５によって垂直（通常入賞口）位置と傾動（拡大入賞口）位置との間で可動制御される一対の可動翼片６ａ・６ｂを備え、いわゆるチューリップ型役物として構成され、その普通可変入賞球装置４には入賞した打玉を検出する始動玉検出器７が設けられている。なお、可動翼片６ａ・６ｂが垂直（通常入賞口）位置のときも普通可変入賞球装置４に入賞可能になっている。また、普通可変入賞球装置４への入賞に基づく特別図柄の変動は、変動中を除いて所定回数（本実施例では、４回）記憶され、その旨が後述の特別図柄記憶表示ＬＥＤ５３によって表示されるようになっている。
【０００９】
また、特別可変表示装置４０の左側方には、普通可変表示装置８が配置されている。普通可変表示装置８は、その上端に玉通過口９を備えると共に該玉通過口９の内部に備えた通過玉検出器１０が通過玉を検出することで、玉通過口９の下方に備えた普通図柄表示器１１での識別情報（以下、普通図柄という）の変動を許容するようになっている。なお、普通図柄表示器１１は、普通図柄が当り図柄となったときに、普通可変入賞球装置４の可動翼片６ａ・６ｂを所定時間が経過するまで開放制御するものであるが、後述する確率変動（大当り判定確率が通常時と異なる確率に変更した遊技状態）が生じたときには、開放時間が長くなるように設定されている。また、普通図柄の変動は、変動中を除いて所定回数（本実施例では、４回）記憶され、その旨が普通可変表示装置８に設けられた普通図柄記憶表示ＬＥＤ１２によって表示されるようになっている。なお、特別可変表示装置４０の右側方には、普通可変表示装置８と同一の外形形状を有する玉通過口部材１３が配置されており、該玉通過口部材１３には、普通図柄記憶表示ＬＥＤ１２の配設位置に対応する部位に飾りＬＥＤ１４（以下、飾りＬＥＤ−Ｅという）が設けられている。
【００１０】
また、遊技領域３の下方部位には、誘導レール２に沿ったほぼ円弧状の取付基板１６を介して遊技盤１に取り付けられた特別可変入賞球装置１５が配置されている。特別可変入賞球装置１５の中央部には、特別可変入賞口１７が開設されており、該特別可変入賞口１７は、ソレノイド１８による開閉板１９の可動によって開閉制御されるようになっている。特別可変入賞口１７の内部は、左右２つに区画され、そのうちの左側が特定領域とされ、右側が通常領域とされる。特定領域には、入賞玉の検出により開閉板１９を再度開成させることができる特定玉検出器２０が設けられている。また、通常領域には入賞玉を検出するために入賞玉検出器２１も設けられている。なお、特別可変入賞口１７内の後面壁には、飾りＬＥＤ２２（以下、飾りＬＥＤ−Ｇという）が設けられている。また、特別可変入賞口１７の下方には、特定遊技状態の発生に伴う開閉板１９の開閉サイクル数を表示する７セグメントタイプの回数表示器２３と、入賞玉検出器２１及び特定玉検出器２０によって検出された入賞玉数を表示する７セグメントタイプの個数表示器２４と、が設けられている。また、取付基板１６における特別可変入賞口１７の左右の各側方には、それぞれ入賞口２５と飾りＬＥＤ２２（飾りＬＥＤ−Ｇ）とが設けられており、取付基板１６の左右の両端部には、それぞれ入賞口２６と飾りＬＥＤ２７（以下、飾りＬＥＤ−Ｆという）とアタッカーランプ２８とが設けられている。なお、各入賞口２５・２６の間には、円弧状の被覆部材２９により前方が被覆された玉通路３０が形成されている。
【００１１】
しかして、上記のように構成される特別可変入賞球装置１５は、以下のように作動する。即ち、打玉が普通可変入賞球装置４に入賞して始動玉検出器７をＯＮさせると、特別可変表示装置４０が変動を開始し、一定時間が経過すると、例えば左・右・中の順で特別図柄が確定され、その確定された図柄の組み合せが所定の大当り組合せ（同一図柄のゾロ目）となったときに特定遊技状態（大当り遊技状態ともいう）となる。そして、この特定遊技状態においては、特別可変入賞球装置１５の開閉板１９が所定期間（例えば、２９秒）あるいは所定個数（例えば、１０個）の入賞玉が発生するまで開放する（開放サイクル）ように設定され、その開放している間遊技盤１の表面を落下する打玉を受け止めるようになっている。そして、受け止められた打玉が特定領域に入賞して特定玉検出器２０をＯＮすると、開放サイクルの終了後再度上記した開放サイクルを繰り返し、特定領域に入賞玉が入賞する毎に継続権が成立して開放サイクルを最高１６回繰り返すことができるようになっている。なお、遊技領域３を含む遊技盤１の表面には、上記した構成以外にも、風車ランプ３１を内蔵した風車３２、アウト口３３、バック玉防止部材３４、等が設けられている。また、パチンコ遊技機には、特定遊技状態時あるいは特別図柄の変動時等にその旨を報知する図示しない遊技効果ＬＥＤ３５、遊技効果ランプ３６（共に符号のみ図６０参照）、及びスピーカ３７（符号のみ図７参照）が設けられている。
【００１２】
次に、本実施例の要部を構成する特別可変表示装置４０の構成について説明する。特別可変表示装置４０は、図２に示すように、前記遊技盤１の表面に取り付けられる取付基板４１を有し、該取付基板４１には、長方形状の窓開口４３ａ・４４ａ・４５ａが左・中・右の３箇所に開設されたドラムカバー部材４２ａが設けられ、さらにこれら窓開口４３ａ・４４ａ・４５ａを後方より一体で覆う透過性のドラムレンズ４２ｂが設けられている。また、該ドラムレンズ４２ｂの後方には、外周に特別図柄が描かれた各回転ドラム４３ｂ・４４ｂ・４５ｂが配置されて、左・中・右の各特別図柄表示部４３〜４５を構成している。なお、各特別図柄表示部４３〜４５は、それぞれ上・中・下の３図柄を停止表示するものである。また、該窓開口４３ａ・４４ａ・４５ａの周縁には、図柄停止位置を遊技者に分かりやすくするために、図柄停止指標凸部４２ｃが設けられている。また、回転ドラム４３ｂ・４４ｂ・４５ｂは、それぞれドラムモータ４３ｄ・４４ｄ・４５ｄ（図８参照）によって回転制御せしめられると共に、停止図柄を検出するためにドラムセンサ４３ｅ・４４ｅ・４５ｅ（図８参照）が設けられている。さらに、各回転ドラム４３ｂ・４４ｂ・４５ｂ内には、それぞれ特別図柄を照明装飾するための左ドラムランプ４３ｆ、中ドラムランプ４４ｆ、及び右ドラムランプ４５ｆ（図８参照）が取り付けられており、これらドラムランプ４３ｆ・４４ｆ・４５ｆは、各々、後述のドラムランプ回路６９に接続されることで、その点滅点灯動作が制御されるようになっている。
【００１３】
また、特別図柄表示部４３〜４５の上方には、図１に示すように、入賞口４６と、飾り図柄の可変表示を行う７セグメントタイプの飾り図柄表示器４７と、センターランプ４８と、各飾りＬＥＤ４９〜５２（以下、それぞれ飾りＬＥＤ−Ａ〜Ｄという）と、が設けられている。一方、特別図柄表示部４３〜４５の下方には、特別可変表示装置４０の変動未消化分を記憶する特別図柄記憶表示ＬＥＤ５３と、センターランプ５４と、が設けられている。なお、特別可変表示装置４０の変動未消化分を記憶する最大数は、４個であり、このため、特別図柄記憶表示ＬＥＤ５３も４個設けられている。
【００１４】
ところで、前記特別可変表示装置４０を構成する取付基板４１には、前記飾り図柄表示器４７の左右側方及び前記特別図柄記憶表示ＬＥＤ５３の左右側方にそれぞれ特別可変表示装置４０の周縁を装飾する上下の各飾り部材５５・５６が設けられている。飾り部材５５は、図４（Ａ）に示すように、飾りＬＥＤ５０の前方を被覆するＬＥＤカバー５５ａと、遊技盤１より前方に突出した突出片５５ｂとを有し、該突出片５５ｂの外周端には、打玉Ｂの通路５５ｃを前方から覆う鍔状被覆部５５ｄが延設されている。また、同様に、飾り部材５６は、図４（Ｂ）に示すように、センターランプ５４の前方を被覆するランプカバー５６ａと、遊技盤１より前方に突出した突出片５６ｂとを有し、該突出片５６ｂの外周端には、打玉Ｂの通路５６ｃを前方から覆う鍔状被覆部５６ｄが延設されている。なお、上記通路５５ｃは、突出片５５ｂが打玉Ｂの支承面をなすことで構成されている一方、通路５６ｃは、飾り部材５６下方の遊技盤１に植立された誘導釘５７によって構成されている。
【００１５】
次に、上記した各鍔状被覆部５５ｄ・５６ｄの設定寸法を図４（Ａ）（Ｂ）に基づいて説明する。なお、パチンコ遊技機には、遊技領域３を透視し得る二重構造のガラス板３８が遊技盤１の前方に装着されている。また、鍔状被覆部５５ｄは、円弧状の断面形状をなす一方、鍔状被覆部５６ｄの先端内壁部には、補強用の凸部５６ｅが突設されている。先ず、鍔状被覆部５５ｄは、突出片５５ｂから外側に向かって長さＬ１だけ延設されている。この突出片５５ｂの長さＬ１は、打玉Ｂの半径Ｌ２以上、直径２×Ｌ２以下に設定されている。これにより、半径Ｌ２以上にすることで打玉Ｂの重心が突出片５５ｂの先端部より下方に位置するため、通路５５ｃ内の打玉Ｂは、一旦通路５５ｃに入ると通路５５ｃから外れてガラス板３８に衝突することなく確実に通路５５ｃ内を転動して安定した誘導が行われ、さらには直径２×Ｌ２以下にすることにより、打玉Ｂの転動動作が視認し得るようになっている。一方、鍔状被覆部５６ｄは、突出片５６ｂから外側に向かって長さＬ４だけ延設されている。この突出片５６ｂの長さＬ４は、鍔状被覆部５６ｄの先端部と通路５６ｃを構成する誘導釘５７との間隔Ｌ３が打玉Ｂの半径以下になるように設定されたものである。また、誘導釘５７と鍔状被覆部５６ｄの先端部との間隔Ｌ３は、誘導釘５７のハンマー調整を可能にし得る所定の値に設定されるものである。このため、通路５６ｃ内の打玉Ｂについても同様に、転動動作が視認し得る状態で安定した誘導が行われる。なお、上記した各鍔状被覆部５５ｄ・５６ｄの形状は特に限定するものではない。鍔状被覆部５６ｄを例にあげて変形例を説明すれば、図３（Ａ）に示すように、飾り部材５６の外周端に部分的に鍔状被覆部５６ｄを延設したものや、図３（Ｂ）に示すように、スリット部５６ｆを設けた鍔状被覆部５６ｄであってもよい。
【００１６】
以上のように、本実施例のパチンコ遊技機では、遊技盤１より前方に突出した突出片５５ｂ・５６ｂを有して特別可変表示装置４０の周縁を装飾する飾り部材５５・５６を取付基板４１に設け、その突出片５５ｂ・５６ｂの各外周端には、それぞれ打玉Ｂの通路５５ｃ・５６ｃを前方から覆う鍔状被覆部５５ｄ・５６ｄを延設している。このため、前述したように各通路５５ｃ・５６ｃ内の打玉Ｂを安定して誘導することができると共に、打玉Ｂの通路（流下領域）を削減することなく、飾り部材５５・５６を大きく設けることができ、ひいては、本発明の目的とするところである遊技盤１全体における視覚効果を向上することができる。なお、飾り部材５６においては、図２に示すように、普通可変入賞球装置４側への誘導路イと、それ以外の誘導路ロとに打玉を振り分ける機能を有しており、鍔状被覆部５６ｄは、丁度、普通可変入賞球装置４側に打玉を導き得ない誘導路ロ（通路５６ｃ）を被覆する形で設けられている。このため、鍔状被覆部５６ｄは、普通可変入賞球装置４に入賞する可能性がない打玉を遊技者から隠して、遊技意欲を損なわせないという効果も奏し得るものである。
【００１７】
次に、上記特別図柄表示部４３〜４５の各回転ドラム４３ｂ・４４ｂ・４５ｂによって表示される特別図柄を図５に基づいて以下に説明する。回転ドラム４３ｂ・４４ｂ・４５ｂの各図柄列（左図柄・中図柄・右図柄）は、各々、「赤７（文字）」「ＵＦＯ（図形）」「ＪＡＣ（文字）」「Ｗ（文字）」「Ｖ（文字）」「ＦＩＲＥ（文字）」「Ｆ（文字）」「ＥＡＲＴＨ（文字）」及び「ＳＴＡＲ（文字）」の９種類９個の当り図柄と、１２個の外れ図柄と、からなる全２１個から構成されている。なお、これらの各図柄には、後述するランダム２の各ランダム数が対応して設けられている。また、左・中・右の各図柄列における大当り図柄の組合せに対しては、ランダム３（図１９及び図２１参照）のランダム数が設けられており、その組合せ種類としては、図６（Ａ）（Ｂ）に示すように、各特別図柄表示部４３〜４５に形成される上横ライン・、左斜めライン・、中横ライン・、右斜めライン・、及び下横ライン・のうち何れかの当りライン上に、「赤７（文字）」「ＵＦＯ（図形）」「ＪＡＣ（文字）」「Ｗ（文字）」「Ｖ（文字）」「ＦＩＲＥ（文字）」「Ｆ（文字）」「ＥＡＲＴＨ（文字）」「ＳＴＡＲ（文字）」のうち何れかの同一図柄が揃った組合せである。
【００１８】
以上、特別可変表示装置４０を含むパチンコ遊技機の遊技盤１の構成について説明してきたが、それらの遊技装置は、図７及び図８に示す遊技制御回路によって制御される。図７及び図８は、遊技制御回路をブロック構成で示す回路図であり、ＭＰＵ、ＲＯＭ、ＲＡＭ、入出力回路を含む基本回路６０によって制御されている。しかして、基本回路６０は、図７に示すように、スイッチ入力回路６１を介して始動玉検出器７、通過玉検出器１０、特定玉検出器２０、及び入賞玉検出器２１からの検出信号が入力され、アドレスデコード回路６２から基本回路６０及びスイッチ入力回路６１にチップセレクト信号が与えられる。また、電源投入時に初期リセット回路６３から基本回路６０にリセット信号が与えられ、クロック用リセットパルス回路６４から基本回路６０にクロック用リセット信号が与えられる。
【００１９】
一方、基本回路６０からは、以下の装置及び回路に制御信号が与えられる。即ち、７セグＬＥＤ・ＬＥＤランプ回路６５を介して回数表示器２３、個数表示器２４、特別図柄記憶表示ＬＥＤ５３、飾り図柄表示器４７、普通図柄表示器１１、普通図柄記憶表示ＬＥＤ１２、及び各飾りＬＥＤ−Ａ〜Ｇに制御信号が与えられ、ランプ・ソレノイド・情報出力回路６６を介してソレノイド５・１８、風車ランプ３１、センターランプ４８・５４、及びアタッカーランプ２８に制御信号が与えられ、音回路６７を介してスピーカ３７に音信号が与えられ、モータドライブ回路６８を介してドラムモータ４３ｄ・４４ｄ・４５ｄに駆動信号が与えられ、ドラムランプ回路６９を介して各ドラムランプ４３ｆ・４４ｆ・４５ｆに制御信号が与えられる。また、各ドラムセンサ４３ｅ・４４ｅ・４５ｅによる停止図柄の検出信号は、センサ入力回路７０を介して基本回路６０に入力されるものである。また、基本回路６０には、カードリーダー入出力回路７１が接続され、該カードリーダー入出力回路７１を介して賞球個数信号、賞球個数信号コモン、当り信号、及び当り信号コモンが外部との間で入出力される。さらに、基本回路６０は、設定スイッチ回路７２を介して各設定スイッチ７２ａ〜７２ｆからの信号が入力されるようになっている。これらの設定スイッチ７２ａ〜７２ｆは、それぞれ特別可変入賞球装置１５、普通可変入賞球装置４、特別可変表示装置４０、普通可変表示装置８、飾り図柄表示器４７、及び図示しない賞球払出装置の各作動を設定１・２の間で切り換え制御するためのものである。例えば、設定スイッチ７２ａをＯＮした場合には、特別可変入賞球装置１５の作動を設定１に切り換える一方、設定スイッチ７２ａをＯＦＦした場合には、特別可変入賞球装置１５の作動を設定２に切り換えるようになっている。なお、上記ランプ・ソレノイド・情報出力回路６６からは、大当り情報や有効始動情報等の情報やランプ制御データが外部に出力される。また、上記した装置や回路には、交流電源７３ａ及びヒューズ７３ｂが接続されてなる電源回路７３から各種の電圧を有する電力が供給されている。
【００２０】
次に、上記した各設定スイッチ７２ａ〜７２ｆにより設定１・２の間で切り換え制御される各種構成部材の作動設定要素について説明する。なお、設定１・２は、それぞれ確率変動の有無（高確率と低確率）によっても分類されている。また、特定遊技状態においては、特別可変入賞球装置１５を所定時間開放するか、あるいは特別可変入賞球装置１５に所定数の入賞玉が入賞するまで特別可変入賞球装置１５を開放（開放サイクル）し、特定玉検出器２０での入賞玉の検出動作に応じてこのような開放サイクルを所定回数繰り返すようになっている。このため、特別可変入賞球装置１５は、図９に示すように、その設定要素が大当りと中当りとに大別されると共に、それぞれに開放サイクルの継続回数、特別可変入賞球装置１５への入賞個数、及び特別可変入賞球装置１５り開放時間の各要素を含んでいる。具体的に説明すると、設定１の低確率時では、大当りの継続回数が１６回、入賞個数が１０個、開放時間が２９．５秒に設定される一方、設定２の低確率時では、大当りの継続回数が８回、入賞個数が９個、開放時間が１５秒に設定される。即ち、低確率時では設定１の方が設定２より遊技者に有利な作動設定となる。これに対して、設定１の高確率時では、大当りの継続回数が８回、入賞個数が９個、開放時間が２０秒に設定される一方、設定２の高確率時では、大当りの継続回数が１６回、入賞個数が８個、開放時間が２５秒に設定され、設定２の方が設定１より遊技者に有利な作動設定となる。なお、設定１には中当りが存在しない。以下同様に、普通可変入賞球装置４は、図１０に示すように、大当り時の継続回数、入賞個数、及び開放時間が設定要素となっており、特別可変表示装置４０は、図１１に示すように、大当り確率、中当り確率、大当り図柄数、当りライン数、変動時間、始動記憶数、リーチ出現率、リーチ種類、確変図柄種類、確変図柄数、及び確変継続回数が設定要素となっており、普通可変表示装置８は、図１２に示すように、大当り確率、大当り図柄数、変動時間、及び始動記憶が設定要素となっており、飾り図柄表示器４７は、図１３に示すように、図柄出現率及び図柄種類が設定要素となっている。また、賞球払出装置は、図１４（Ｂ）に示すように、各入賞口ａ・ｂ・ｃ〜ｄ毎の賞球払出数が設定要素となっている。賞球払出数に応じた各入賞口の分類は、図１４（Ａ）に示すように、普通可変入賞球装置４の入賞口が「ａ」、特別可変入賞球装置１５の入賞口１７が「ｂ」、入賞口４６が「ｃ」、入賞口２５が「ｄ」、入賞口２６が「ｅ」となっている。
【００２１】
以上のように、本実施例のパチンコ遊技機では、各設定スイッチ７２ａ〜７２ｆのＯＮ／ＯＦＦ操作により特別可変入賞球装置１５、普通可変入賞球装置４、特別可変表示装置４０、普通可変表示装置８、飾り図柄表示器４７、及び賞球払出装置の各作動が設定１・２の間で切り換え制御できるようになっており、賞球の払出数、大入賞口の開成制御、及び大当り図柄の表示確率の各要素を含んだトータル的な遊技設定が遊技場側で可能となっている。これら３要素における設定変更の有無による組合せ毎に具体的な効果を説明すると、先ず、賞球の払出数のみを設定変更した場合には、同一のゲーム内容でありながら複数種類の遊技価値を提供することができる。賞球の払出数のみを設定変更しなかった場合には、複数種類のゲーム内容を設定でき所定時間で同等の遊技価値を提供できる。大当り図柄の表示確率のみを設定変更しなかった場合には、大当り発生の期待感は変化させないで複数種類の遊技価値を提供することができると共に、少ない価値の付与であっても視覚的に満足感を付与することができる。大入賞口の開成制御のみを設定変更しなかった場合には、大当りの達成感は変化させないで複数種類の遊技価値を提供できる。また、全ての要素を設定変更した場合には、遊技場のニーズに合った多様性のある遊技機の提供ができる。
【００２２】
なお、上記した設定１・２の切り換え制御は、設定スイッチ７２ａ〜７２ｆの各ＯＮ／ＯＦＦ操作に基づくもので、各部構成（例えば、特別可変入賞ｂ）で１つの設定となっている。しかしながら、設定切り換えの制御はこれに限定するものではなく、例えば図１５に示すような設定Ａ〜Ｃの総合設定によって各種構成部材の作動設定を切り換え制御するもの、即ち各設定要素（例えば、継続回数等）毎に設定するようにしてもよい。また、逆に図１６に示すような設定イ〜ハの一括設定により切り換え制御するものであってもよい。総合設定の場合では、その設定要素を可変表示装置８・４０、可変入賞球装置４・１５、及び賞球払出装置として、設定Ａでは、可変表示装置８・４０及び可変入賞球装置４・１５をそれぞれ前述した各設定１にすると共に賞球払出装置を設定２にして、設定Ｂ・Ｃでは、それぞれ図１５に示す設定に切り換える。なお、このような総合設定については、ホール側のニーズに応じて本実施例中記載の各設定スイッチ７２ａ〜７２ｆ毎の設定切り換えと組合せてもよい。一方、図１６に示すように、一括設定では、可変表示装置等の構成部材の枠を取り払い、設定要素に大当り確率、確変図柄数、確変継続回数を設定する。また、この一括設定では、図１６のように大当り確率と確変図柄数とに反比例して継続回数が定められると遊技者に均一な出玉の提供ができるため、より望ましい設定ができる。
【００２３】
また、各設定スイッチ７２ａ〜７２ｆにより作動が切り換え制御される構成部材及びその部材数は、本実施例中に記載のもの（特別可変入賞球装置１５、普通可変入賞球装置４、特別可変表示装置４０、普通可変表示装置８、飾り図柄表示器４７、賞球払出装置）に限定するものではなく、また、切り換え制御される設定についても、その数（実施例中では、設定１・２の２つ）及び設定内容は限定するものではない。例えば、図１７（Ａ）に示すように、設定１では左・中・右の各図柄をそれぞれ「１〜１６」として大当り図柄数を１６種類とする一方、設定２では、図１７（Ｂ）に示すように、左・中・右の各図柄をそれぞれ「１〜１２」として大当り図柄数を１２種類としてもよい。また、図１８（Ａ）に示すように、設定１では当りライン数を１ラインとする一方、設定２では、図１８（Ｂ）に示すように、当りラインを５ラインとしてもよい。なお、このように設定１・２に応じて当りラインを変更する場合では、これに対応して可変表示する図柄の種類を変更してもよい。即ち、図柄の可変表示部をドラム等のような機械表示器にて構成するのではなく、ＬＣＤ等のような電気表示器にて構成し、１ライン式の場合では、全ての図柄を順列を有する当り図柄から構成する一方、５ライン式の場合では、当り図柄及び外れ図柄から構成する。
【００２４】
次に、前記特別可変表示装置４０による特別図柄の変動動作について図１９乃至図２９に示すタイムチャート及び説明図等を参照して説明する。先ず、特別可変表示装置４０の変動動作に用いられるランダム数について説明する。特別可変表示装置４０では、図１９に示すような４種類のランダム数が使用されており、これらのランダム数は、大当り判定用のランダム１（０〜２９２）と、全図柄表示用のランダム２（左・中・右の各図柄列毎に０〜２０）と、大当り図柄配列用のランダム３（０〜４４）と、リーチ動作用のランダム６（０〜１９）と、から構成されている。なお、ランダム１・３は、それぞれ０．００２秒毎に１ずつ加算されて変動するランダム数であり、また、ランダム２・６は、それぞれ０．００２秒毎に１ずつ加算され且つ割り込み処理の余り時間に１ずつ加算されて変動するランダム数である。そして、図２０に示すように、ランダム１から抽出された値が「３」のときは、大当りと判定してランダム３により大当り図柄及び配列を決定し特別可変表示装置４０の各特別図柄表示部４３〜４５に表示する。一方、ランダム１から抽出された値が「３」以外のときは、外れと判定してランダム２での抽出値に基づく図柄を外れ図柄として特別可変表示装置４０の各特別図柄表示部４３〜４５に表示する。また、ランダム２で抽出された値が、偶然にも大当り図柄と一致した場合には、中図柄列用のランダム２データに１を加算して外れ図柄にして表示するものである。なお、普通図柄と同様に、本実施例の特別可変表示装置４０も確率変動を行っており、この場合、高確率時には、ランダム１内の「３・７・７９・１０３・１０７」の値が大当り決定用のランダム数となっている。
【００２５】
また、上記した各ランダム１・３・６及びこれに伴う特別図柄の当り外れの判定は、設定１のときのものであり、設定２のときには、図２１に示すように、当り判定用のランダム１が「０〜２９９」に増設される一方、大当り図柄配列用のランダム３が「０〜３９」に、リーチ動作用のランダム６が「０〜１８」にそれぞれ減設される。また、特別図柄の当り外れの判定は、図２２に示すように、ランダム１（０〜２９９）からの抽出値が「３」のときは、大当りと判定してランダム３により大当り図柄及び配列を決定し特別可変表示装置４０の各特別図柄表示部４３〜４５に表示する。一方、ランダム１から抽出された値が「３」以外であり且つ「１０８〜１１４」のときは、中当りと判定してランダム３により中当り図柄及び配列を決定し特別可変表示装置４０の各特別図柄表示部４４・４５に表示する。なお、このとき、特別図柄表示部（左図柄列）４３には、ランダム２データに基づく外れ図柄を表示するものであり、ランダム２で抽出された値が、偶然にも大当り図柄と一致した場合には、左図柄列用のランダム２データに１を加算して中当り図柄にして表示する。また、ランダム１から抽出された値が「３」以外であり且つ「１０８〜１１４」以外のときは、外れと判定してランダム２での抽出値に基づく図柄を外れ図柄として特別可変表示装置４０の各特別図柄表示部４３〜４５に表示する。また、ランダム２で抽出された値が、偶然にも大当り図柄あるいは中当り図柄と一致した場合には、中図柄列用のランダム２データに１を加算して外れ図柄にして表示するものである。なお、上記ランダム１からの抽出データの判定は、当り確率が通常時の場合であり、高確率時には、ランダム１から抽出された値が「３・７・１１・７９・１０３・１０７」のうち何れかの値で大当りと判定すると共に「１０８〜１２１」のうち何れかの値で中当りと判定し、これら以外の値で外れと判定するようになっている。
【００２６】
そして、特別図柄の変動は図２３乃至図２７のタイムチャートに示すようになっている。なお、左・中・右の各図柄列の変動は、図２８に示すパターンに基づいて行われる。変動パターンＡは、加速→一定速→減速となる変動であり、変動パターンＢは、１ステップ当り２０ｍＳの一定の変動であり、変動パターンＣは、１ステップ当り２２ｍＳ→２４ｍＳ→２６ｍＳと除々に減速していき２８ｍＳの一定の変動であり、変動パターンＤは、１ステップ当り２８ｍＳの一定の変動である。先ず、図２３において、普通可変入賞球装置４（図３８中には、始動入賞口と記載）に打玉が入賞して始動玉検出器７がＯＮされ始動信号を導出すると、その始動信号の立ち上がり時に各ランダム１・３からランダム数を抽出してこれらを格納する。その後、始動信号の導出から微少時間（０．１３２秒）が経過したときに、格納したランダム１の値を読み出して当り外れを判定し、それと同時にランダム２の値を抽出する。なお、このとき、ランダム１の値から当りを判定した場合には、格納したランダム３の読み出しを行う。その後、始動信号の導出から０．１９０秒が経過すると変動パターンＡにて左図柄列の変動を開始させ、始動信号の導出から０．１９２秒が経過すると変動パターンＡにて中図柄列の変動を開始させ（図２４参照）、また、始動信号の導出から０．１９４秒が経過すると変動パターンＡにて右図柄列の変動を開始させる。なお、上記ランダム１・２の抽出に伴いリーチになる場合には、始動信号の導出から０．１３４〜０．１５０秒後にランダム６の値を抽出するものである。
【００２７】
そして、上記左図柄列に対しては、変動開始から６．３００秒が経過すると、停止図柄の１図柄手前をセットして０．１６０秒間変動パターンＢにて変動させた後、図柄を停止表示させる。右図柄列に対しては、変動開始から６．４６０秒が経過すると、停止図柄の５図柄手前をセットして０．８００秒間変動パターンＢにて変動させた後、図柄を停止表示させる。また、中図柄列に対しては、図２４に示すように、リーチ以外の場合では、変動開始から７．２６０秒が経過すると、停止図柄の５図柄手前をセットして０．８００秒間変動パターンＢにて変動させた後、図柄を停止表示させる。なお、上記のような左・中・右の各図柄列の変動は、設定１で大当り確率が通常時（低確率時）の場合であり、設定２での低確率時、及び設定１・２での高確率時には、変動パターンＡでの変動時間がそれぞれ短縮されるものである。即ち、設定２での低確率時では、左図柄列は５．３００秒に、右図柄列は５．４６０秒に、中図柄列は６．２６０秒にそれぞれ短縮される。また、設定１・２での高確率時では、左図柄列は２．１６０秒に、右図柄列は２．３２０秒に、中図柄列は３．１２０秒にそれぞれ短縮される。
【００２８】
次に、リーチ変動について説明する。なお、リーチ変動の種類は、上記した左・右の各停止図柄によってリーチ図柄が構成され中図柄列のみがリーチ変動する場合（リーチ１・２）と、左・中・右の各図柄列に大当り図柄を揃えた状態で同期的にリーチ変動する場合（リーチ３〜９）と、に大別される。また、これらの各リーチ１〜９の選択は、図２９に示す選択条件１〜５及び前記ランダム６からの抽出値に基づいて行われる。先ず、左・右の各停止図柄によってリーチ図柄が構成され中図柄列のみがリーチ変動する場合（リーチ１・２）について説明する。図２４において、リーチ１での中図柄列に対しては、変動パターンＡでの変動後、リーチライン上に大当り図柄をセットして６．７２０秒間変動パターンＢにて変動させ、その後、０．４３６〜９．６２０秒間変動パターンＣにて変動させて図柄を停止表示させる。なお、リーチ１の選択は、条件１が選択され且つランダム６の抽出値が「０〜１９」、条件２が選択され且つランダム６の抽出値が「０〜３」、条件３が選択され且つランダム６の抽出値が「０〜１４」、条件４が選択され且つランダム６の抽出値が「０〜９」、あるいは条件５が選択され且つランダム６の抽出値が「０」の場合に行われる。また、リーチ２・での中図柄列に対しては、変動パターンＡでの変動後、リーチライン上に大当り図柄をセットして６．７２０秒間変動パターンＢにて変動させ、その後、４．４６８秒間変動パターンＣにて変動させる。そして、０．４８０秒間の停止後に、０．０２８秒間の変動と０．４００秒間の停止とを交互に７〜１５回繰り返し、最後に０．０２８秒間の変動を行った後に図柄を停止表示させる。なお、リーチ２・の選択は、条件３が選択され且つランダム６の抽出値が「１５〜１８」、あるいは条件５が選択され且つランダム６の抽出値が「１」の場合に行われる。また、図２５において、リーチ２・での中図柄列に対しては、変動パターンＡでの変動後、リーチライン上に大当り図柄をセットして６．７２０秒間変動パターンＢにて変動させ、その後、４．４６８秒間変動パターンＣにて変動させる。そして、０．４８０秒間の停止後に、０．０２８秒間の変動と０．４００秒間の停止とを交互に１５回繰り返し、最後に０．１９６秒間の逆回転変動を行った後に図柄を停止表示させる。このリーチ２・の変動は、特別可変表示装置４０に大当り図柄が表示されるときだけ行われる。なお、リーチ２・の選択は、条件４が選択され且つランダム６の抽出値が「１０〜１８」、あるいは条件５が選択され且つランダム６の抽出値が「２・３」の場合に行われる。また、リーチ２・での中図柄列の変動において、Ｗリーチでリーチ動作の基準とならない図柄、つまり通常は図柄ポジションの大きい方をセットするが図柄ポジションの小さい方での図柄でリーチ２・を選択した場合は、下段の「ＷＢＡＲ」、下段の「Ｆ」、上段の「ＷＢＡＲ」で大当りする場合があり、上記した変動パターンＢでの変動後、２．４２４秒間変動パターンＣにて変動させ、その後、０．０２８秒間停止させて最後に０．１９６秒間の逆回転変動を行った後に図柄を停止表示させる。
【００２９】
次に、左・中・右の各図柄列に大当り図柄を揃えた状態で同期的にリーチ変動する場合（リーチ３〜９）について説明する。図２６において、リーチ３の変動では、変動パターンＡでの変動後、中央ラインに「７・７・７」をセットして３．３４８〜７．８２８秒間変動パターンＣにて変動させて全図柄を一斉に停止表示させる。なお、リーチ３の選択は、条件２でランダム６の抽出値が「４・５」、あるいは条件５でランダム６の抽出値が「４・５」の場合に行われる。リーチ４の変動では、変動パターンＡでの変動後、中央ラインに「７・７・７」をセットして７．８２８秒間変動パターンＣにて変動させ、その後、０．４００秒間の停止と０．２２４秒間の変動とを０．６２４〜１３．１０４秒の間交互に繰り返した後に全図柄を一斉に停止表示させる。なお、リーチ４の選択は、条件２でランダム６の抽出値が「６〜８」、あるいは条件５でランダム６の抽出値が「６〜８」の場合に行われる。また、このリーチ４では、各図柄をコマ送り状態にて変動することで、リーチ３のような通常の減速停止と違い停止図柄が予測し難く遊技性をスリリングなものにできる。なお、リーチ４において各図柄表示部４３〜４５に必ず１ラインは当り図柄を揃えた状態でリーチ変動することが望ましい。リーチ５の変動では、変動パターンＡでの変動後、中央ラインに「７・７・７」をセットして７．８２８秒間変動パターンＣにて変動させ、その後、０．４００秒間の停止後に再度変動パターンＡにて０．２２４〜４．６２０秒間変動させて全図柄を一斉に停止表示させる。なお、リーチ５の選択は、条件２でランダム６の抽出値が「９〜１１」、あるいは条件５でランダム６の抽出値が「９〜１１」の場合に行われる。また、このリーチ５の変動においては、一旦停止する図柄を外れ図柄とする一方で変動再開後の停止図柄は大当り図柄とするのが望ましい。これにより、リーチ５では、一旦外れと思わせた後に大当りとすることで、大当りの喜びをより一層向上することができる。
【００３０】
また、図２７において、リーチ６の変動では、変動パターンＡでの変動後、中央ラインに「７・７・７」をセットして６．７２０秒間変動パターンＢにて変動させ、その後、４．８８８秒間変動パターンＣにて変動させる。そして、０．０２８秒間の停止後に０．１９６秒間の逆回転の変動を行って全図柄を一斉に停止表示させる。なお、リーチ６の選択は、条件２でランダム６の抽出値が「１２〜１４」、あるいは条件５でランダム６の抽出値が「１２〜１４」の場合に行われる。また、このリーチ６の変動においても、リーチ５と同様に、一旦停止する図柄を外れ図柄とする一方で逆回転後の停止図柄は大当り図柄とするのが望ましく、その効果としては、大当りの喜びをより一層向上できると共に図柄変動に意外性を持たせることができる。リーチ７の変動では、変動パターンＡでの変動後、中央ラインに「７・７・７」をセットして６．７２０秒間変動パターンＢにて変動させ、その後、再度変動パターンＡにて６．７２０〜１３．１０４秒間変動させて全図柄を一斉に停止表示させる。なお、後半の変動パターンＡでの変動時には、停止予定図柄を含む前後それぞれ２図柄は低速変動である変動パターンＤにて変動を行う。このようにすることで、停止予定図柄と前後それぞれ２図柄は低速変動する。但し、外れ図柄が停止予定の場合は、最も近い大当り図柄を中心に変えて前後２図柄を低速変動を行う。また、大当り図柄までの遠近関係が同じ場合は、図柄ポジションの大きい方をセットする。なお、リーチ７の選択は、条件２でランダム６の抽出値が「１５〜１９」、あるいは条件５でランダム６の抽出値が「１５・１６」の場合に行われる。また、このリーチ７では、大当り図柄があたかも停止するかのように見せかけることで遊技者を焦らせ、遊技性に変化をもたらすことができる。リーチ８の変動では、変動パターンＡでの変動後、中央ラインに「７・７・７」をセットして６．７２０秒間変動パターンＢにて変動させ、その後、０．４４０〜４．４６８秒間変動パターンＣにて変動させる。そして、０．４８０秒間の停止後に、０．０２８秒間の変動と０．４００秒間の停止とを交互に７〜１５回繰り返し、最後に０．０２８秒間の変動を行った後に全図柄を一斉に停止表示させる。なお、リーチ８の選択は、条件５でランダム６の抽出値が「１７・１８」の場合に行われる。また、このリーチ８では、大当り図柄の前後１図柄未満の範囲で一旦停止を複数回繰り返し変動する、即ち微少コマ送り状態にて図柄を変動することで、前記リーチ４及びリーチ７をミックスさせたような興趣がある。リーチ９の変動では、変動パターンＡにて２５．０００秒間変動させて全図柄を一斉に停止表示させる。なお、リーチ９の選択は、条件３でランダム６の抽出値が「１９」、条件４でランダム６の抽出値が「１９」、あるいは条件５でランダム６の抽出値が「１９」の場合に行われる。また、このリーチ９では、図柄停止を減速せずに突然を行うことで遊技に意外性を持たせることができる。
【００３１】
以上のように、本実施例の特別可変表示装置４０では、特別図柄の同期変動リーチをリーチ３〜９の複数態様からの選択で行うようになっている。また、このような複数態様の同期変動リーチにおいて、所定の回転速度から減速して最終的に停止する通常の同期変動リーチ３を除く各リーチ４〜９では、特殊な変動にて識別情報を変動制御するため、同期変動リーチ時の興趣をより一層向上することができる。さらに、特殊な同期変動リーチとしての各リーチ４〜９では、それぞれ全可変表示部（実施例中では、３列）の識別情報を大当り組合せに揃えた状態で全列を同期変動しているが、これに限定するものではなく、複数列の可変表示部のうち少なくとも２列以上の識別情報を所定の組合せとなり得る状態で同期的にリーチ変動するものであれば構わない。また、実施例中では、識別情報を当り図柄と外れ図柄とから構成すると共に５つの当りライン上で表示しているが、図３０（Ａ）（Ｂ）に示すように、識別情報を全て順列を有する当り図柄にて構成して１つの当りラインから上で表示しても構わない。
【００３２】
以下に、特殊な同期変動リーチの変形例（リーチ１０〜１２）を図３１乃至図３４のタイムチャート及び説明図に基づいて説明する。なお、リーチ１０を表示し得る特別可変表示装置４０の識別情報の種類は、図３０（Ａ）に示すように、左・中・右の各図柄列における「１〜１６」の図柄とする。また、リーチ１１・１２を表示し得る特別可変表示装置４０の識別情報の種類は、左・右の各図柄列における「１〜１６」の図柄及び中図柄列における「１〜１７」の図柄（図３０（Ａ）中に破線で示す）とする。各リーチ１０〜１２での当りラインは、図３０（Ｂ）に示す１ラインとする。先ず、図３１において、リーチ１０では、普通可変入賞球装置４（図３１中には、始動入賞口と記載）への打玉の入賞に伴う始動信号の導出から０．１９０秒が経過すると、変動パターンＡにて左・中・右の全図柄列の変動を開始させる。そして、変動パターンＡでの６．４６０秒間の変動後、左・右の各図柄列には「７」の図柄を、また中図柄列には「６」の図柄をセットし、それぞれ３．３４８〜７．８２８秒間変動パターンＣにて変動させた後に一旦全図柄を停止させる。なお、このときの表示状態は、例えば「６・５・６」（図３３参照）のように中図柄のみが「１」少ない表示となっている。そして、先ず、中図柄のみを１図柄（０．２２４秒間）変動させて「６・６・６」（図３３参照）の大当り組合せにした後、次に左・右の各図柄のみを１図柄（０．２２４秒間）変動させ、「７・６・７」（図３３参照）と再度中図柄のみが「１」少ない組合せにする。以下同様に、中図柄及び左・右の各図柄を交互に１図柄ずつ変動する態様を所定回数繰り返し、最終的に中図柄のみが「１」少ない外れ図柄あるいは大当り図柄の何れかを停止表示する。また、このリーチ１０では、同期的に変動する左・右の各図柄に対して中図柄があたかも後を追うような変動を行うことで３図柄の同期変動とは趣を異ならせることができ、ひいては遊技性に変化をもたらすことができる。
【００３３】
次に、リーチ１１では、左・中・右の全図柄列を６．４６０秒間変動パターンＡにて変動させた後、左・右の各図柄列には「７」の図柄を、また中図柄列には「９」の図柄をセットし、それぞれ３．３４８〜７．８２８秒間の変動パターンＣでの変動後、４．２００秒（１周期変動）、８．４００秒（２周期変動）、あるいは１２．６００秒（３周期変動）の何れかの時間変動パターンＢで変動させて停止表示する。なお、このときの表示状態を図３４に基づいて説明すると、例えば変動パターンＣでの変動後に「７・９・７」となっている場合、変動パターンＢにて全図柄列を１周すると、中図柄列の図柄数が１つ多い分左・右の各図柄に比べて中図柄が「１」減らされた状態の「７・８・７」の組合せとなる。同様にして、２周目には「７・７・７」の大当り組合せとなり、３周目には「７・６・７」と中図柄が「１」少ない組合せとなる。また、このリーチ１１では、左・中・右の各図柄を同時に変動するにも関わらず中図柄のみが１回転毎に変わっていくため、３図柄の同期変動と前記リーチ１０とをミックスさせたような興趣がある。リーチ１２では、図３２に示すように、左・中・右の全図柄列を６．４６０秒間変動パターンＡにて変動させた後、それぞれを３．３４８〜７．８２８秒間変動パターンＣにて変動させる。その後、左・中・右の各図柄列に「７」の図柄をセットして変動パターンＢにて変動させる。そして、左・右の各図柄列に対しては、変動パターンＢでの変動を４．２００〜１４．８００秒間行った後、停止予定の１〜２図柄手前を変動パターンＣにて変動して停止する。一方、中図柄列に対しては、「１」〜「１５」の図柄が表示される間では変動パターンＢにて、また「１６」〜「１７」の図柄が表示される間では変動パターンＥにて変動を行う態様を４．２００〜１４．８００秒間行った後、停止予定の１〜２図柄手前を変動パターンＣにて変動して停止する。これにより、４．２００〜１４．８００秒間の変動パターンＢ内では、実質的に中図柄が左・右の各図柄より１図柄多いにも関わらず、「１６」〜「１７」の中図柄表示の間で変動パターンＥによる補正変動が行われることで、左・中・右の各図柄が同一図柄で揃った状態で変動が行われる。そして、停止予定の１〜２図柄手前の変動パターンＣの間で、中図柄の「１７」が表示されないときには、大当り図柄が停止表示される一方、中図柄の「１７」が表示されるときには、補正変動が行われず外れ図柄が停止表示される。また、このリーチ１２では、前記リーチ１１と同様に中図柄が左右の図柄に対して１図柄多いにも関わらず常に大当り図柄に揃っている表示を行い遊技者に大きな期待感を持たせる一方で、外れ図柄の停止表示を行う際には意外性を持たせることができる。なお、上記実施例では、同期変動リーチを７種類（リーチ３〜９）の態様からの選択としているが、特にこれに限定するものではなく、何れかの特殊な同期変動リーチを行うものであれば構わない。また、複数の特殊な同期変動リーチを時間的に順次組合せて行い１つのリーチとしてもよい。
【００３４】
次に、特別可変表示装置４０の変動終了後の動作について図３５乃至図３７を参照して説明する。先ず、変動の結果、大当り図柄の組合せとなった場合では、図３５に示すように、中図柄の変動停止から１．５００秒後に大当りの判定を行う。そして、この大当り判定から６．０００秒後に特別可変入賞球装置１５の開閉板１９（図３５中には、特別可変入賞口と記載）を２９．５００秒間開放し、開閉板１９の開放終了から２．０００秒が経過すると、再度開閉板１９の開放動作を繰り返す。なお、このような開閉板１９の開放時間（２９．５００秒）は、設定１で通常時のものであり、設定１で高確率時には、２０．０００秒に短縮される。また、設定２で通常時の開放時間は、１５．０００秒であり、設定２で高確率時の開放時間は、２５．０００秒である。また、設定２で通常（低確率）時の変動の結果、中当り図柄の組合せとなった場合では、中図柄の変動停止から１．５００秒後に中当りの判定を行い、この中当り判定から６．０００秒後に特別可変入賞球装置１５の開閉板１９を５．０００秒間開放する。一方、設定２で高確率時の変動の結果、中当り図柄の組合せとなった場合では、中図柄の変動停止から１．５００秒後に中当りの判定を行い、この中当り判定から６．０００秒後に特別可変入賞球装置１５の開閉板１９を２．０００秒間開放し、６．０００秒間の閉鎖後再度２．０００秒間開放する。
【００３５】
次に、上記した開閉板１９の開放動作を終了する時点で特別図柄の始動記憶がある場合には、図３６に示すように、開閉板１９の閉鎖から１０．１９０秒後に図柄変動が開始される。なお、この場合、開閉板１９の閉鎖から１０．１３２秒後に、格納したランダム１の値の読み出し及び判定を行うと共に、ランダム２の抽出を行う。また、このとき、大当りを判定したときには、格納したランダム３の読み出しを行う。一方、変動の結果、外れ図柄の組合せとなり且つ特別図柄の始動記憶がある場合では、図３７に示すように、中図柄の変動が停止して１．１９０秒が経過すると、左・中・右の各図柄列の変動が順次開始される。なお、この場合、中図柄の変動停止から１．１３２秒後に、格納したランダム１の値の読み出し及び判定を行うと共に、ランダム２の抽出を行う。また、このとき、大当りを判定したときには、格納したランダム３の読み出しを行う。
【００３６】
次に、前記普通図柄表示器１１に表示される普通図柄について説明する。普通図柄は、図３８に示すように、「０・１・３・５・７・９」の６種類であり、１図柄の表示時間を０．１２８秒とした１周期（０．７６８秒）で変動表示される。また、これらの普通図柄に対しては、図３９に示すように、０．００２秒毎に１ずつ加算される当り決定用のランダム４（３〜１３）と、０．００２秒毎に１ずつ加算され且つ割り込み処理余り時間に１ずつ加算される普通図柄表示用のランダム５（０〜５）と、が設けられている。ランダム５（０〜５）の各ランダム数は、図４０に示すように、「０・１・３・５・７・９」の各普通図柄に対応して設けられている。また、ランダム４（３〜１３）からのランダム数の抽出において、図４１に示すように、「３」の値が抽出されて当りと判定されると、普通図柄表示器１１にランダム５データの「４」に対応する「７」の当り図柄を表示して普通可変入賞球装置４を所定時間開放する。一方、ランダム４で「３」以外の値が抽出されて外れと判定されると、ランダム５データを抽出し、この値に対応する外れ図柄を普通図柄表示器１１に表示する。なお、ランダム４で外れと判定されたにも関わらずランダム５で抽出された値が偶然にも当り図柄となる場合、即ちランダム５データが「４」であるときには、ランダム５データの「５」に対応する「９」の外れ図柄を普通図柄表示器１１に表示するものである。なお、上記ランダム４からの抽出データの判定は、当り確率が通常時の場合であり、高確率時には、ランダム４から抽出された値が「３〜１２」のうち何れかの値で当りと判定する一方、それ以外の「１３」の値で外れと判定するようになっている。
【００３７】
また、上記した当り決定用のランダム４（３〜１３）及びこれに伴う普通図柄の当り外れの判定は、設定１のときのものであり、設定２のときには、図４２に示すように、当り決定用のランダム４が「０〜１３」に増設される。また、普通図柄の当り外れの判定は、図４３に示すように、ランダム４（０〜１３）からの抽出値が「３・７」のいずれかの場合に当りと判定する。そして、抽出値が「３」のときには「３」を、抽出値が「７」のときには「７」をそれぞれ当り図柄として普通図柄表示器１１に表示し、普通可変入賞球装置４を所定時間開放する。一方、ランダム４で「３・７」以外の値が抽出されて外れと判定すると、ランダム５データを抽出し、この値に対応する外れ図柄を普通図柄表示器１１に表示する。なお、ランダム４で外れと判定されたにも関わらずランダム５で抽出された値が、偶然にも当り図柄となる場合には、設定１と同様に「９」の外れ図柄を普通図柄表示器１１に表示するものである。なお、上記ランダム４からの抽出データの判定は、当り確率が通常時の場合であり、高確率時には、ランダム４から抽出された値が「０〜１２」のうち何れかの値で当りと判定する一方、それ以外の「１３」の値で外れと判定するようになっている。また、上記設定１・２については、後に詳述するものである。
【００３８】
次に、上記した普通図柄表示器１１での普通図柄の変動動作を図４４乃至図４７のタイムチャートに基づいて説明する。先ず、図４４において、通過玉検出器１０（図４４中には、普通図柄用ゲートの通過と記載）がＯＮすると、これと同時にランダム４の抽出及び格納を行う。その後、通過玉検出器１０のＯＮから所定時間（０．００２秒）が経過すると、格納したランダム４の読み出し及び判定を行うと共にランダム５の抽出を行う。そして、通過玉検出器１０のＯＮから０．００４秒後に、２７．０００秒間普通図柄を変動する。なお、このような普通図柄の変動時間（２７．０００秒）は、設定１の低確率時のものであり、設定１の高確率時には、普通図柄の変動時間は、５．０００秒に短縮される。また、設定２の低確率時では２０．０００秒、設定２の高確率時では３．０００秒にそれぞれ変動時間が設定されるものである。
【００３９】
また、上記した変動において普通図柄が外れとなり且つ通過玉検出器１０の通過記憶がある場合には、図４５に示すように、普通図柄の停止より１．００２秒後に格納したランダム４の読み出し及び判定を行うと共にランダム５の抽出を行う。そして、普通図柄の停止より１．００４秒後に普通図柄の変動を開始する。一方、設定１の通常確率時あるいは設定２の高確率時において普通図柄が当りとなる場合には、図４６に示すように、普通図柄の停止と同時に普通可変入賞球装置４（図１２中には、普通可変入賞口と記載）を０．５００秒間開放し、その後、普通可変入賞球装置４の閉鎖から０．００２秒後に、格納したランダム４の読み出し及び判定を行うと共にランダム５の抽出を行う。そして、通過玉検出器１０の通過記憶がある場合には、普通可変入賞球装置４の閉鎖から０．００４秒後に再度普通図柄の変動を開始する。また、設定１の高確率時あるいは設定２の通常確率時において普通図柄が当りとなる場合には、図４７に示すように、普通図柄の停止と同時に普通可変入賞球装置４（図４７中には、普通可変入賞口と記載）を２．０００秒間開放し、その後、４．０００秒間閉鎖した後、再度普通可変入賞球装置４を２．０００秒間開放する。そして、通過玉検出器１０の通過記憶がある場合には、２度目の普通可変入賞球装置４の閉鎖から０．００２秒後に、格納したランダム４の読み出し及び判定を行うと共にランダム５の抽出を行った後、その０．００２秒後に、再度普通図柄の変動を開始する。
【００４０】
ところで、上記設定１で普通可変表示装置４が確率変動をするための条件は、図４８に示すように、特別可変表示装置４０（図４８中には、条件装置と記載）の特別図柄表示部４３〜４５に「７・７・７」「Ｖ・Ｖ・Ｖ」「Ｗ・Ｗ・Ｗ」あるいは「Ｆ・Ｆ・Ｆ」のうちいずれかの確変図柄（且つ、大当り図柄）が停止表示されることである。その後、「７・７・７」「Ｖ・Ｖ・Ｖ」「Ｗ・Ｗ・Ｗ」「Ｆ・Ｆ・Ｆ」以外の大当り図柄で停止表示されるまで継続される。即ち、設定１での確率変動は、確変図柄での特定遊技状態発生の終了を契機に高確率に変動させた後、確変図柄以外での特定遊技状態の発生を契機に通常時の確率に戻すものである。一方、設定２での高確率への確率変動は、図４９に示すように、特別可変表示装置４０（図４９中には、条件装置と記載）の特別図柄表示部４３〜４５に「７・７・７」「Ｖ・Ｖ・Ｖ」あるいは「Ｆ・Ｆ・Ｆ」のうちいずれかの確変図柄（且つ、大当り図柄）が停止表示されることを条件に行われ、次に大当り図柄が停止表示されるまで合計２回行われる。なお、このとき、次の大当り図柄は、「７・７・７」「Ｖ・Ｖ・Ｖ」「Ｆ・Ｆ・Ｆ」に限定せず、いずれの大当り図柄であっても２回目の確率変動が行われ、この場合「７・７・７」「Ｖ・Ｖ・Ｖ」「Ｆ・Ｆ・Ｆ」のいずれで停止した場合であっても２回で終了されるようになっている。
【００４１】
また、上記した確率変動は、前記特別図柄でも同様に行われる。なお、確率変動の所定条件としては、「７・７・７」等の確変図柄（且つ、大当り図柄）の停止表示に限定するものではない。例えば、全種類の大当り図柄のうちいずれかが停止表示された場合、大当り図柄以外の所定の図柄が停止表示された場合、確変決定乱数を設けて所定の乱数が抽出された場合、所定の入賞口あるいは通過口で打玉を検出した場合、前記始動玉検出器７で打玉を所定回数検出した場合、特別可変表示装置４０で所定回数リーチ表示を行った場合、特定遊技状態を所定回数発生した場合、パチンコ遊技機の差玉数（打ち込み玉数と景品玉数との差）又は出玉率（出玉数／打ち込み玉数）が所定値となった場合、あるいはパチンコ遊技機での遊技時間が所定時間となった場合、のうち何れか少なくとも１つ以上を成立条件としても良い。
【００４２】
次に、前記飾り図柄表示器４７に表示される飾り図柄について説明する。飾り図柄に対しては、図５０に示すように、０．００２秒毎及び割り込み処理余り時間に１ずつ加算される飾り図柄表示用のランダム７（０〜１９）が設けられている。このランダム７に対応する飾り図柄は、設定１（低確率時）、設定１（高確率時）、及び設定２毎に異なって設定されている。即ち、設定１（低確率時）では、「０〜９」の飾り図柄が図５１に示すランダム７データに対応して設定表示される一方、設定１（高確率時）及び設定２では、「Ａ・Ｃ・Ｅ・Ｆ・Ｈ・Ｊ・Ｌ・Ｐ・Ｕ・−」の飾り図柄がそれぞれ図５２及び図５３に示す各ランダム７データに対応して設定表示される。
【００４３】
次に、上記した飾り図柄表示器４７での飾り図柄の変動動作を図５４のタイムチャートに基づいて説明する。図５４において、始動玉検出器７（図２１中には、始動口入賞と記載）がＯＮすると、ランダム１（大当り判定用乱数）から判定値が抽出される。そして、判定値から大当りなら前記始動玉検出器７のＯＮから０．１３２秒後にランダム７の抽出を行う。その後、始動玉検出器７のＯＮから０．７５０秒後には、特別図柄（図５４中には、中図柄と記載）が所定時間変動して当り図柄で停止表示を行う。そして、特別図柄の変動停止から０．６００秒後に、飾り図柄の変動が開始され、６．０００秒＋０〜１．１５２秒後にランダム７データに基づく飾り図柄が停止表示される。このため、予め、ホール内で特定の飾り図柄を決めておき、その飾り図柄が停止表示されたときには、景品玉の継続使用を許可する等を行うことで付加的な遊技内容の盛り上げを行うようになっている。
【００４４】
次に、ランプ・ＬＥＤ、及びスピーカ等の構成部材のより具体的な動作について図５５乃至図６０を参照して説明する。図５５乃至図６０は、各遊技状態に応じて表示あるいは駆動されるランプ、ＬＥＤ、及びスピーカの動作を示す一覧表図である。なお、図中、丸印は点灯状態を示し、丸印の中にバツがある表示は点滅状態を示し、二重丸は点灯移動状態を示し、黒丸は変動状態を示す。
【００４５】
まず、電源の投入時には、飾りＬＥＤ−ＡがＯＦＦ５１６０ｍｓ、ＯＮ４０ｍｓ、ＯＦＦ６６０ｍｓの周期で点滅作動し、飾りＬＥＤ−ＣがＯＦＦ１５００ｍｓ、ＯＮ５００ｍｓ、ＯＦＦ３２００ｍｓ、ＯＮ４０ｍｓ、ＯＦＦ６２０ｍｓの周期で点滅作動し、飾りＬＥＤ−ＤがＯＦＦ５２００ｍｓ、ＯＮ４０ｍｓ、ＯＦＦ８０ｍｓ、ＯＮ４０ｍｓ、ＯＦＦ５００ｍｓの周期で点滅作動し、飾りＬＥＤ−ＥがＯＦＦ５２８０ｍｓ、ＯＮ４０ｍｓ、ＯＦＦ５４０ｍｓの周期で点滅作動し、飾りＬＥＤ−ＦがＯＮ５００ｍｓ、ＯＦＦ４７４０ｍｓ、ＯＮ４０ｍｓ、ＯＦＦ５８０ｍｓの周期で点滅作動し、飾りＬＥＤ−Ｂが５８６０ｍｓの周期で点灯移動する。また、このとき、普通図柄表示器１１、回数表示器（図５９中には、回数表示ＬＥＤと記載）２３、及び個数表示器（図５９中には、個数表示ＬＥＤと記載）２４は、それぞれ「０」を点灯表示し、ドラムランプ４３ｄ・４４ｄ・４５ｄは、電源投入時より６１．４４０秒間点灯し、その後１０２４ｍｓの周期で点滅作動する。なお、普通図柄及び特別図柄の各記憶表示ＬＥＤ１２・５３は、各々、何れの遊技状態においても記憶数に応じて左側から点灯表示するものである。
【００４６】
そして、普通可変入賞球装置４への入賞（図５５乃至図６０中には、始動口入賞と記載）に伴う図柄回転（変動）中には、飾りＬＥＤ−ＥがＯＮ１０４ｍｓ、ＯＦＦ５２０ｍｓの周期で点滅作動し、飾りＬＥＤ−ＦがＯＦＦ１０４ｍｓ、ＯＮ１０４ｍｓ、ＯＦＦ４１６ｍｓの周期で点滅作動し、飾りＬＥＤ−Ｂが６２４ｍｓの周期で点灯移動し、風車ランプ３１がＯＦＦ３１２ｍｓ、ＯＮ１０４ｍｓ、ＯＦＦ１０４ｍｓ、ＯＮ１０４ｍｓの周期で点滅作動し、ドラムランプ４３ｄ・４４ｄ・４５ｄが点灯する。その後、図柄の停止時には、飾りＬＥＤ−ＡがＯＮ４８ｍｓ／ＯＦＦ４８ｍｓ×３、ＯＦＦ５７６ｍｓの周期で点滅作動する。なお、普通図柄表示器１１は、設定１の通常時には２７．０００秒間、設定１の高確率時には５．０００秒間、設定２の通常時には２０．０００秒間、設定２の高確率時には３．０００秒間の変動を行った後に「０・１・３・５・７・９」の何れかを停止表示する。
【００４７】
また、リーチ１・３での前半の変動時には、飾りＬＥＤ−ＡがＯＦＦ５２ｍｓ、ＯＮ５２ｍｓ、ＯＦＦ１５６ｍｓ、ＯＮ５２ｍｓ、ＯＦＦ１０４ｍｓの周期で点滅作動し、飾りＬＥＤ−ＣがＯＦＦ１０４ｍｓ、ＯＮ５２ｍｓ、ＯＦＦ１５６ｍｓ、ＯＮ５２ｍｓ、ＯＦＦ５２ｍｓの周期で点滅作動し、飾りＬＥＤ−ＤがＯＦＦ１５６ｍｓ、ＯＮ５２ｍｓの周期で点滅作動し、飾りＬＥＤ−Ｅ・ＦがそれぞれＯＮ５２ｍｓ、ＯＦＦ５２ｍｓ、ＯＮ５２ｍｓ、ＯＦＦ２６０ｍｓの周期で点滅作動し、センターランプ５４がＯＮ１５６ｍｓ、ＯＦＦ２６０ｍｓの周期で点滅作動し、アタッカーランプ２８がＯＦＦ１５６ｍｓ、ＯＮ１５６ｍｓ、ＯＦＦ１０４ｍｓの周期で点滅作動し、センターランプ４８がＯＦＦ５２ｍｓ、ＯＮ１０４ｍｓ、ＯＦＦ５２ｍｓの周期で点滅作動し、風車ランプ３１がＯＦＦ２６０ｍｓ、ＯＮ１５６ｍｓの周期で点滅作動し、飾りＬＥＤ−Ｂが４１６ｍｓの周期で点灯移動する。なお、リーチ変動において、左図柄、右図柄の各当り列のドラムランプ４３ｄ・４５ｄは、それぞれ１２８ｍｓの周期で点滅作動し、中図柄のドラムランプ４４ｄは、点灯作動する。一方、リーチ１・３での後半の変動時には、飾りＬＥＤ−ＡがＯＮ５０ｍｓ、ＯＦＦ５０ｍｓの周期で点滅作動し、飾りＬＥＤ−ＣがＯＦＦ３００ｍｓ、ＯＮ５０ｍｓ、ＯＦＦ２５０ｍｓの周期で点滅作動し、飾りＬＥＤ−ＤがＯＦＦ２００ｍｓ、ＯＮ５０ｍｓ／ＯＦＦ５０ｍｓ×３、ＯＦＦ１００ｍｓの周期で点滅作動し、飾りＬＥＤ−Ｅ・Ｆ及びセンターランプ４８がそれぞれＯＦＦ１００ｍｓ、ＯＮ５０ｍｓ／ＯＦＦ５０ｍｓ×３、ＯＦＦ２００ｍｓの周期で点滅作動し、センターランプ５４及び風車ランプ３１がそれぞれＯＮ５０ｍｓ／ＯＦＦ５０ｍｓ×３、ＯＦＦ３００ｍｓの周期で点滅作動し、アタッカーランプ２８がＯＦＦ３００ｍｓ、ＯＮ５０ｍｓ／ＯＦＦ５０ｍｓ×３の周期で点滅作動し、飾りＬＥＤ−Ｂが６００ｍｓの周期で点灯移動する。
【００４８】
また、リーチ２の変動時には、飾りＬＥＤ−Ａ・Ｅ・Ｆ及びセンターランプ５４がＯＮ５０ｍｓ、ＯＦＦ３５０ｍｓの周期で点滅作動し、飾りＬＥＤ−ＣがＯＦＦ１００ｍｓ、ＯＮ５０ｍｓ、ＯＦＦ１５０ｍｓ、ＯＮ５０ｍｓ、ＯＦＦ５０ｍｓの周期で点滅作動し、飾りＬＥＤ−Ｄ及び風車ランプ３１がそれぞれＯＦＦ２００ｍｓ、ＯＮ５０ｍｓ、ＯＦＦ１５０ｍｓの周期で点滅作動し、アタッカーランプ２８がＯＮ５０ｍｓ、ＯＦＦ５０ｍｓの周期で点滅作動し、飾りＬＥＤ−Ｂが４００ｍｓの周期で点灯移動する。リーチ３での１ステップ変動中には、飾りＬＥＤ−Ａ及びアタッカーランプ２８がそれぞれＯＦＦ２８０ｍｓ、ＯＮ２４ｍｓ／ＯＦＦ２４ｍｓ×３、ＯＦＦ４ｍｓの周期で点滅作動し、飾りＬＥＤ−ＣがＯＦＦ３０４ｍｓ、ＯＮ２４ｍｓ／ＯＦＦ２４ｍｓ×３、ＯＮ２８ｍｓの周期で点滅作動し、飾りＬＥＤ−Ｄ・ＦがそれぞれＯＦＦ３０４ｍｓ、ＯＮ４８ｍｓ、ＯＦＦ７６ｍｓの周期で点滅作動し、飾りＬＥＤ−ＥがＯＦＦ３５２ｍｓ、ＯＮ４８ｍｓ、ＯＦＦ２８ｍｓの周期で点滅作動し、センターランプ５４・４８がそれぞれＯＮ２８０ｍｓ、ＯＦＦ１４８ｍｓの周期で点滅作動し、飾りＬＥＤ−Ｂが４２８ｍｓの周期で点灯移動する。リーチ４の変動時には、飾りＬＥＤ−Ａ・Ｃ・Ｄ及び風車ランプ３１がそれぞれ４６ｍｓの周期で同期的に又は交互に点滅作動し、飾りＬＥＤ−ＥがＯＦＦ１３８ｍｓ、ＯＮ４６ｍｓの周期で点滅作動し、飾りＬＥＤ−ＦがＯＦＦ４６ｍｓ、ＯＮ４６ｍｓ、ＯＦＦ９２ｍｓの周期で点滅作動し、センターランプ５４がＯＮ９２ｍｓ、ＯＦＦ２７６ｍｓの周期で点滅作動し、アタッカーランプ２８がＯＮ４６ｍｓ、ＯＦＦ１３８ｍｓ、ＯＮ４６ｍｓ／ＯＦＦ４６ｍｓ×２の周期で点滅作動し、飾りＬＥＤ−Ｂが３６８ｍｓの周期で点灯移動する。そして、全図柄停止から判定までの所定時間には、飾りＬＥＤ−ＡがＯＮ４８ｍｓ／ＯＦＦ４８ｍｓ×３、ＯＦＦ１２３２ｍｓの周期で点滅作動し、ドラムランプ４３ｄ・４４ｄ・４５ｄが点灯する。
【００４９】
次に、大当り遊技状態となったときには、大入賞口開放前、大入賞口開放中、大入賞口開放の最終回、大入賞口開放後、及び次回開放までの間、の５段階に分けられる。そこで、これらを順次説明すると、まず、大入賞口開放前では、飾りＬＥＤ−ＡがＯＦＦ７２ｍｓ、ＯＮ３１２ｍｓ、ＯＦＦ１９２ｍｓの周期で点滅作動し、飾りＬＥＤ−ＣがＯＦＦ２４ｍｓ、ＯＮ３３６ｍｓ、ＯＦＦ２１６ｍｓの周期で点滅作動し、飾りＬＥＤ−ＤがＯＮ３３６ｍｓ、ＯＦＦ２４０ｍｓの周期で点滅作動し、飾りＬＥＤ−ＥがＯＦＦ９６ｍｓ、ＯＮ３１２ｍｓ、ＯＦＦ１６８ｍｓの周期で点滅作動し、飾りＬＥＤ−ＦがＯＦＦ１４４ｍｓ、ＯＮ３１２ｍｓ、ＯＦＦ１２０ｍｓの周期で点滅作動し、センターランプ５４がＯＮ２４ｍｓ、ＯＦＦ５５２ｍｓの周期で点滅作動し、アタッカーランプ２８がＯＦＦ１９２ｍｓ、ＯＮ３８４ｍｓの周期で点滅作動し、センターランプ４８がＯＮ９６ｍｓ、ＯＦＦ４８０ｍｓの周期で点滅作動し、風車ランプ３１がＯＮ２４０ｍｓ、ＯＦＦ３３６ｍｓの周期で点滅作動し、飾りＬＥＤ−Ｂが５７６ｍｓの周期で点灯移動する。なお、このとき、ドラムランプ４３ｄ・４４ｄ・４５ｄは、当り列のランプとその他のランプとが２５６ｍｓの周期で交互に点滅作動し、また、遊技効果ＬＥＤ３５は、６７２ｍｓの周期で点灯移動した後、４８ｍｓの周期で点滅作動し、遊技効果ランプ３６は、３００ｍｓの周期で点滅作動する。また、スピーカ３７は、ファンファーレＪを効果音として発生する。
【００５０】
また、大入賞口開放中には、飾りＬＥＤ−ＡがＯＦＦ２８８ｍｓ、ＯＮ９６ｍｓの周期で点滅作動し、飾りＬＥＤ−ＣがＯＦＦ１９２ｍｓ、ＯＮ９６ｍｓ、ＯＦＦ９６ｍｓの周期で点滅作動し、飾りＬＥＤ−ＤがＯＦＦ９６ｍｓ、ＯＮ９６ｍｓ、ＯＦＦ１９２ｍｓの周期で点滅作動し、飾りＬＥＤ−Ｅ・ＦがそれぞれＯＦＦ３８４ｍｓ、ＯＮ９６ｍｓ、ＯＦＦ２８８ｍｓの周期で点滅作動し、センターランプ５４がＯＦＦ３８４ｍｓ、ＯＮ９６ｍｓ、ＯＦＦ１９２ｍｓ、ＯＮ４８ｍｓ、ＯＦＦ４８ｍｓの周期で点滅作動し、アタッカーランプ２８がＯＮ９６ｍｓ／ＯＦＦ１９２ｍｓ×２、ＯＦＦ１９２ｍｓの周期で点滅作動し、センターランプ４８がＯＮ９６ｍｓ、ＯＦＦ２８８ｍｓの周期で点滅作動し、飾りＬＥＤ−Ｂ及び風車ランプ３１がそれぞれ７６８ｍｓの周期で点灯移動する。なお、このとき、回数表示器２３は、開放回数を表示する。具体的には、１〜９回までは点灯表示し、１０〜１６回までは１２８ｍｓの周期で点滅作動する。一方、個数表示器２４は、入賞個数を点灯表示する。また、ドラムランプ４３ｄ・４４ｄ・４５ｄは、当り列のランプを１２８ｍｓの周期で点滅作動し、その他のランプを点灯作動する。遊技効果ＬＥＤ３５は、６００ｍｓの周期で点灯移動し、遊技効果ランプ３６は、３００ｍｓの周期で点滅作動する。また、大入賞口開放中のＶ入賞時には、飾りＬＥＤ−ＧがＯＮ９６ｍｓ／ＯＦＦ９６ｍｓ×２、ＯＦＦ９６ｍｓ／ＯＮ９６ｍｓ×２の周期で点滅作動する。さらに、スピーカ３７は、各ラウンド１〜１５（開放サイクル）用の開放音Ｋ、特定領域入賞時の効果音Ｌをその都度発生する。
【００５１】
そして、大入賞口開放の最終回には、飾りＬＥＤ−Ａ・ＤがそれぞれＯＮ９６ｍｓ、ＯＦＦ９６ｍｓ、ＯＮ４８ｍｓ／ＯＦＦ４８ｍｓ×２の周期で点滅作動し、飾りＬＥＤ−ＣがＯＦＦ９６ｍｓ、ＯＮ９６ｍｓ、ＯＦＦ４８ｍｓ／ＯＮ４８ｍｓ×２の周期で点滅作動し、飾りＬＥＤ−Ｅ及びセンターランプ５４がそれぞれＯＦＦ１９２ｍｓ、ＯＮ４８ｍｓ／ＯＦＦ４８ｍｓ×２の周期で点滅作動し、飾りＬＥＤ−ＦがＯＦＦ９６ｍｓ、ＯＮ９６ｍｓ、ＯＦＦ１９２ｍｓの周期で点滅作動し、アタッカーランプ２８及びセンターランプ４８がそれぞれＯＮ９６ｍｓ、ＯＦＦ２８８ｍｓの周期で点滅作動し、風車ランプ３１がＯＦＦ２８８ｍｓ、ＯＮ９６ｍｓの周期で点滅作動し、飾りＬＥＤ−Ｂが３８４ｍｓの周期で点灯移動する。また、このとき、スピーカ３７は、大入賞口開放の最終回開放音Ｍを効果音として発生する。
【００５２】
また、大入賞口開放後には、飾りＬＥＤ−ＡがＯＮ９６ｍｓ／ＯＦＦ９６ｍｓ×８、ＯＮ４３２ｍｓ／ＯＦＦ１２９６ｍｓ×４、ＯＦＦ１６００ｍｓの周期で点滅作動し、飾りＬＥＤ−Ｃ・ＥがそれぞれＯＦＦ９６ｍｓ／ＯＮ９６ｍｓ×８、ＯＦＦ４３２ｍｓ／ＯＮ４３２ｍｓ×８、ＯＦＦ１６００ｍｓの周期で点滅作動し、飾りＬＥＤ−Ｆ及びセンターランプ５４がそれぞれＯＮ９６ｍｓ／ＯＦＦ９６ｍｓ×８、ＯＮ４３２ｍｓ／ＯＦＦ４３２ｍｓ×８、ＯＦＦ１６００ｍｓの周期で点滅作動し、アタッカーランプ２８がＯＮ９６ｍｓ／ＯＦＦ９６ｍｓ×８、ＯＦＦ４３２ｍｓ／ＯＮ４３２ｍｓ×８、ＯＦＦ１６００ｍｓの周期で点滅作動し、風車ランプ３１がＯＦＦ９６ｍｓ／ＯＮ９６ｍｓ×８、ＯＦＦ１２９６ｍｓ／ＯＮ４３２ｍｓ×４、ＯＦＦ１６００ｍｓの周期で点滅作動し、飾りＬＥＤ−Ｂ・Ｄ及びセンターランプ４８がそれぞれ１００４８ｍｓの周期で点灯移動する。なお、このとき、回数表示器２３及び個数表示器２４は、設定１で確変図柄による大当りの場合、継続回数（０〜１２）を表示する一方、設定２で「００」を表示する。また、ドラムランプ４３ｄ・４４ｄ・４５ｄは、当り列のランプとその他のランプとが２５６ｍｓの周期で交互に点滅作動し、遊技効果ＬＥＤ３５は、１０００ｍｓの周期で点灯移動し、遊技効果ランプ３６は、５００ｍｓの周期で点滅作動する。
【００５３】
そして、次回開放までの間には、飾りＬＥＤ−Ａ・Ｄ・Ｅ・Ｆ・Ｇ及びアタッカーランプ２８がそれぞれＯＮ１９２ｍｓ、ＯＦＦ１９２ｍｓの周期で点滅作動し、飾りＬＥＤ−Ｃ及びセンターランプ５４がそれぞれＯＦＦ１９２ｍｓ、ＯＮ１９２ｍｓの周期で点滅作動する。また、このとき、遊技効果ＬＥＤ３５は、３９２ｍｓの周期で点灯移動し、遊技効果ランプ３６は、３９２ｍｓの周期で点滅作動する。なお、異常が発生したときには、飾りＬＥＤ−Ａ〜Ｇ、普通図柄表示器１１、各記憶表示ＬＥＤ１２・５３、ドラムランプ４３ｄ・４４ｄ・４５ｄ、遊技効果ＬＥＤ３５、及び遊技効果ランプ３６は、それぞれ異常発生前の状態を保持する。また、このとき、回数表示器２３は、異常（エラー）発生の旨を報知する「Ｅ」の表示を行う一方、個数表示器２４は、エラー状況に合せた表示を行う。
【００５４】
以上のように、本実施例の特別可変表示装置４０では、特別図柄の同期変動リーチをリーチ３〜９の複数態様からの選択で行うようになっている。また、このような複数態様の同期変動リーチにおいて、所定の回転速度から減速して最終的に停止する通常の同期変動リーチ３を除く各リーチ４〜９では、特殊な変動にて識別情報を変動制御するため、同期変動リーチ時の興趣をより一層向上することができる。
【００５５】
なお、上記実施例は、本発明を限定するものではなく、本発明の範囲内で種々の変更が可能である。例えば、上記実施例では、特別可変表示装置４０を回転ドラム４３ｂ〜４５ｂにて構成しているが、特にこれに限定するものではなく、ＬＣＤ、ＣＲＴ、ＬＥＤ、ＶＦＤ、ＥＬ、あるいはプラズマによる表示器や、ベルト式あるいはリーフ式にて構成することも可能である。また、遊技機の構成として、始動玉検出器７の入賞玉の検出に伴って特別可変表示装置４０での識別情報の変動を開始し、該識別情報が所定の表示結果となると特定遊技状態が発生して特別可変入賞球装置１５を開放する遊技機（これを俗に第１種という）を例示しているが、特にこれに限定するものではなく、始動玉検出器の入賞玉の検出に伴って可変表示装置での識別情報の変動を開始し、該識別情報が所定の表示結果となると権利発生状態となり、この状態で特定領域に打玉が入賞すると特定遊技状態が発生する遊技機（これを俗に第３種という）であっても良い。さらには、遊技機全体をＬＣＤ表示器等の表示装置にて構成する、即ち「打玉」「可変入賞球装置」等の構成部材を疑似的に表示器に表示することで遊技機を構成することも可能である。なお、この場合では、賞球の払出しを得点等で代行しても良い。
【００５６】
【発明の効果】
以上、説明したところから明らかなように、本発明において、複数列の可変表示部のうち１つの可変表示部を除く他の可変表示部の配列パターンとして複数個の識別情報の配列順序を同一にすると共に、前記１つの可変表示部の配列パターンとして前記他の可変表示部の配列パターンと同一の識別情報の配列順序に１個の識別情報を加えた配列順序として設定され、制御手段は、前記複数列の可変表示部で表示結果を導出する以前に該表示結果を決定する表示結果決定手段と、該表示結果決定手段によって決定された表示結果が大当り組合せ態様、はずれリーチ組合せ態様、はずれ組合せ態様のいずれであるかを判定する組合せ判定手段と、前記表示結果決定手段によって決定された表示結果が大当たり組合せ態様またははずれリーチ組合せ態様であって、大当り組合せ態様のうちいずれの組合せ種類であるかまたははずれリーチ組合せ態様のうちいずれの組合せ種類であるかに応じて複数の選択条件の中からいずれの選択条件であるかを判定する選択条件判定手段と、予め定められた複数種類のリーチ変動のうちいずれのリーチ変動を実行するかを決定するために用いられる乱数値を抽出するリーチ動作用乱数抽出手段と、前記選択条件判定手段において判定された選択条件及び前記リーチ動作用乱数抽出手段において抽出された乱数値にもとづいていずれのリーチ変動を実行するかを選択するリーチ変動選択手段と、前記リーチ変動選択手段が選択したリーチ変動にもとづいて識別情報の可変表示を実行するリーチ変動制御手段と、を備え、前記予め定められた複数種類のリーチ変動は、少なくとも、前記複数列の可変表示部における最終停止可変表示部においてはずれ時における変動とは異なる変動を行い、最終的に停止表示する通常リーチ変動と、前記複数列の可変表示部のうち少なくとも２列以上の可変表示部において識別情報を前記所定の大当り組合せとなる条件を満たす状態で変動を行い、所定の変動速度から減速して最終的に停止表示する通常同期リーチ変動と、前記複数列の可変表示部のうち少なくとも２列以上の可変表示部において識別情報を前記所定の大当り組合せとなる条件を満たす状態で変動を行うと共に、最終的に停止表示するまでに、当該変動を一旦停止した後１個分の識別情報の表示範囲未満で再び変動を行う変動態様を複数回繰り返す第１特殊同期リーチ変動と、前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記他の可変表示部において前記配列順序に従って所定の識別情報が表示された後再び前記所定の識別情報が表示されるまでの期間を１周期としたときに、複数周期にわたってすべての可変表示部において同一の第１変動速度で変動を行う変動態様を含む変動を行う第２特殊同期リーチ変動と、前記複数列の可変表示部のうち前記他の可変表示部において識別情報を前記所定の大当り組合せとなる条件を満たす状態で変動を行うと共に、前記１つの可変表示部の識別情報を前記所定の大当り組合せとなる条件を必ずしも満たさない状態で変動を行い、最終的に停止表示するまでの識別情報の変動として、前記１周期の期間において前記他の可変表示部では同一の前記第１変動速度で変動し、前記１つの可変表示部では前記第１変動速度と該第１変動速度とは変動速度が異なる補正変動としての第２変動速度との２つの変動速度で構成される特殊変動に基づいて変動し、１周期した時点ですべての可変表示部で再度前記所定の大当り組合せとなる変動態様を複数周期にわたって行う第３特殊同期リーチ変動態様と、を含み、前記リーチ変動選択手段は、前記表示結果決定手段によって大当り組合せとすると決定したときに、少なくとも前記通常リーチ変動と前記通常同期リーチ変動と前記第１特殊同期リーチ変動と前記第２特殊同期リーチ変動と前記第３特殊同期リーチ変動とのうちよりいずれかのリーチ変動を実行するリーチ変動として選択可能であり、前記表示結果決定手段によって大当り組合せとしないと決定したときに、前記第１特殊同期リーチ変動を実行するリーチ変動として選択しないとともに、前記選択条件判定手段において、特定の選択条件であると判定された場合には、前記通常リーチ変動のみを選択するので、同期変動リーチにおいても変則的な変動態様が行え、ひいてはリーチ時の興趣をより一層向上することができる。
【図面の簡単な説明】
【図１】  本発明の一実施例における遊技盤を示す正面図である。
【図２】  特別可変表示装置を示す拡大正面図である。
【図３】  同図（Ａ）（Ｂ）は、各々、鍔状被覆部の変形例を示す正面図である。
【図４】  同図（Ａ）は前記図２のＡ−Ａ線矢視断面図であり、また、同図（Ｂ）は前記図２のＢ−Ｂ線矢視断面図である。
【図５】  左・中・右の各図柄列における特別図柄の種類を示す一覧表図である。
【図６】  同図（Ａ）は特別図柄の大当り組合せを示す一覧表図であり、また、同図（Ｂ）は５ラインの当りラインを示す説明図である。
【図７】  遊技動作を制御する制御回路を示すブロック図の一部である。
【図８】  遊技動作を制御する制御回路を示すブロック図の一部である。
【図９】  特別可変入賞球装置における設定１・２間での設定要素を示す一覧表図である。
【図１０】  普通可変入賞球装置における設定１・２間での設定要素を示す一覧表図である。
【図１１】  特別可変表示装置における設定１・２間での設定要素を示す一覧表図である。
【図１２】  普通可変表示装置における設定１・２間での設定要素を示す一覧表図である。
【図１３】  飾り図柄表示器における設定１・２間での設定要素を示す一覧表図である。
【図１４】  同図（Ａ）は賞球の払出数に応じた各入賞口の分類を示す説明図であり、また、同図（Ｂ）は賞球払出装置における設定１・２間での設定要素を示す一覧表図である。
【図１５】  総合設定における各設定要素を示す一覧表図である。
【図１６】  一括設定における各設定要素を示す一覧表図である。
【図１７】  同図（Ａ）は他の実施例における設定１での特別図柄の種類を示す一覧表図であり、また、同図（Ｂ）は設定２での特別図柄の種類を示す一覧表図である。
【図１８】  同図（Ａ）は他の実施例における設定１での１ラインの当りラインを示す説明図であり、また、同図（Ｂ）は設定２での５ラインの当りラインを示す説明図である。
【図１９】  設定１での特別図柄に用いられる各種ランダム数の一覧表図である。
【図２０】  選択されたランダム数によって設定１での特別図柄の当り外れを決定する動作を説明するための簡単なフローチャートである。
【図２１】  設定２での特別図柄に用いられる各種ランダム数の一覧表図である。
【図２２】  選択されたランダム数によって設定２での特別図柄の当り外れを決定する動作を説明するための簡単なフローチャートである。
【図２３】  左・右の各図柄の変動動作を示すタイムチャートである。
【図２４】  リーチ以外、及び各リーチ１・２・での中図柄の変動動作を示すタイムチャートである。
【図２５】  リーチ２・での中図柄の変動動作を示すタイムチャートである。
【図２６】  各リーチ３〜５での図柄の変動動作を示すタイムチャートである。
【図２７】  各リーチ６〜９での図柄の変動動作を示すタイムチャートである。
【図２８】  各図柄列の変動パターンを示す一覧表図である。
【図２９】  リーチ変動を振り分けるための各条件１〜５を示す一覧表図である。
【図３０】  同図（Ａ）は本発明の他の実施例における特別図柄の種類を示す一覧表図であり、また、同図（Ｂ）は１ラインの当りラインを示す説明図である。
【図３１】  各リーチ１０・１１での図柄の変動動作を示すタイムチャートである。
【図３２】  リーチ１２での図柄の変動動作を示すタイムチャートである。
【図３３】  リーチ１０での図柄の変動表示を示す説明図である。
【図３４】  リーチ１１での図柄の変動表示を示す説明図である。
【図３５】  特定遊技状態における特別可変入賞球装置の開閉板の開放動作を示すタイムチャートである。
【図３６】  特定遊技状態の終了後に特別図柄記憶表示ＬＥＤに記憶がある場合での特別図柄の変動動作を示すタイムチャートである。
【図３７】  特別図柄の変動停止後に特別図柄記憶表示ＬＥＤに記憶がある場合での特別図柄の変動動作を示すタイムチャートである。
【図３８】  普通図柄の種類を示す説明図である。
【図３９】  設定１での普通図柄に用いられる各種ランダム数の一覧表図である。
【図４０】  普通図柄とランダム５との関係を示す一覧表図である。
【図４１】  選択されたランダム数によって設定１での普通図柄の当り外れを決定する動作を説明するための簡単なフローチャートである。
【図４２】  設定２での普通図柄に用いられる各種ランダム数の一覧表図である。
【図４３】  選択されたランダム数によって設定２での普通図柄の当り外れを決定する動作を説明するための簡単なフローチャートである。
【図４４】  通過玉検出器での打玉の検出に伴う普通図柄の変動動作を示すタイムチャートである。
【図４５】  通過記憶がある場合での普通図柄の変動停止後に再度普通図柄が変動を開始する動作を示すタイムチャートである。
【図４６】  設定１の通常時あるいは設定２の高確率時に普通図柄が当りとなることに伴う普通可変入賞球装置の開放動作を示すタイムチャートである。
【図４７】  設定１の高確率時あるいは設定２の通常時に普通図柄が当りとなることに伴う普通可変入賞球装置の開放動作を示すタイムチャートである。
【図４８】  設定１において特定遊技状態の発生に伴い図柄の当り確率が通常から高確率に変更される動作を示すタイムチャートである。
【図４９】  設定２において特定遊技状態の発生に伴い図柄の当り確率が通常から高確率に変更される動作を示すタイムチャートである。
【図５０】  飾り図柄に用いられる各種ランダム数の一覧表図である。
【図５１】  設定１の低確率時での飾り図柄とランダム７との関係を示す一覧表図である。
【図５２】  設定１の高確率時での飾り図柄とランダム７との関係を示す一覧表図である。
【図５３】  設定２での飾り図柄とランダム７との関係を示す一覧表図である。
【図５４】  始動玉検出器での打玉の検出に伴う飾り図柄の変動動作を示すタイムチャートである。
【図５５】  ランプ、ＬＥＤ、及びスピーカの各動作を示す一覧表図の一部である。
【図５６】  ランプ、ＬＥＤ、及びスピーカの各動作を示す一覧表図の一部である。
【図５７】  ランプ、ＬＥＤ、及びスピーカの各動作を示す一覧表図の一部である。
【図５８】  ランプ、ＬＥＤ、及びスピーカの各動作を示す一覧表図の一部である。
【図５９】  ランプ、ＬＥＤ、及びスピーカの各動作を示す一覧表図の一部である。
【図６０】  ランプ、ＬＥＤ、及びスピーカの各動作を示す一覧表図の一部である。
【符号の説明】
１  遊技盤
３  遊技領域
４  普通可変入賞球装置
７  始動玉検出器
８  普通可変表示装置
１０  通過玉検出器
１１  普通図柄表示器
１２  普通図柄記憶表示ＬＥＤ
１５  特別可変入賞球装置
１９  開閉板
２０  特定玉検出器
２１  入賞玉検出器
２３  回数表示器
２４  個数表示器
４０  特別可変表示装置
４３〜４５  特別図柄表示部（可変表示部）
４７  飾り図柄表示器
５３  特別図柄記憶表示ＬＥＤ
５５・５６  飾り部材
５５ｂ・５６ｂ  突出片
５５ｃ・５６ｃ  通路
５５ｄ・５６ｄ  鍔状被覆部
５７  誘導釘
６０  基本回路（同期変動リーチ制御手段・特殊変動制御手段）
７２ａ〜７２ｆ  設定スイッチ
【図１】
0004117913.tif 000002
【図２】
0004117913.tif 000003
【図３】
0004117913.tif 000004
【図４】
0004117913.tif 000005
【図５】
0004117913.tif 000006
【図６】
0004117913.tif 000007
【図７】
0004117913.tif 000008
【図８】
0004117913.tif 000009
【図９】
0004117913.tif 000010
【図１０】
0004117913.tif 000011
【図１１】
0004117913.tif 000012
【図１２】
0004117913.tif 000013
【図１３】
0004117913.tif 000014
【図１４】
0004117913.tif 000015
【図１５】
0004117913.tif 000016
【図１６】
0004117913.tif 000017
【図１７】
0004117913.tif 000018
【図１８】
0004117913.tif 000019
【図１９】
0004117913.tif 000020
【図２０】
0004117913.tif 000021
【図２１】
0004117913.tif 000022
【図２２】
0004117913.tif 000023
【図２３】
0004117913.tif 000024
【図２４】
0004117913.tif 000025
【図２５】
0004117913.tif 000026
【図２６】
0004117913.tif 000027
【図２７】
0004117913.tif 000028
【図２８】
0004117913.tif 000029
【図２９】
0004117913.tif 000030
【図３０】
0004117913.tif 000031
【図３１】
0004117913.tif 000032
【図３２】
0004117913.tif 000033
【図３３】
0004117913.tif 000034
【図３４】
0004117913.tif 000035
【図３５】
0004117913.tif 000036
【図３６】
0004117913.tif 000037
【図３７】
0004117913.tif 000038
【図３８】
0004117913.tif 000039
【図３９】
0004117913.tif 000040
【図４１】
0004117913.tif 000041
【図４０】
0004117913.tif 000042
【図４５】
0004117913.tif 000043
【図４６】
0004117913.tif 000044
【図４７】
0004117913.tif 000045
【図４２】
0004117913.tif 000046
【図４３】
0004117913.tif 000047
【図４４】
0004117913.tif 000048
【図４８】
0004117913.tif 000049
【図４９】
0004117913.tif 000050
【図５０】
0004117913.tif 000051
【図５１】
0004117913.tif 000052
【図５２】
0004117913.tif 000053
【図５３】
0004117913.tif 000054
【図５４】
0004117913.tif 000055
【図５５】
0004117913.tif 000056
【図５６】
0004117913.tif 000057
【図５７】
0004117913.tif 000058
【図５８】
0004117913.tif 000059
【図５９】
0004117913.tif 000060
【図６０】
0004117913.tif 000061